(57)【要約】【課題】電気光学素子の駆動期間を切り換えて使用する場合に生じる輝度の変化を抑制することのできる電子回路の駆動方法、電子回路、電気光学装置の駆動方法、電気光学装置及び電子機器を提供する。【解決手段】第１の駆動トランジスタＱｄ１に対して並列に第２の駆動トランジスタＱｄ２を接続した。また、第２の駆動トランジスタＱｄ２と開始トランジスタＱｓｔとを制御用スイッチングトランジスタＱｘを介して接続した。そして、インパルス表示方法で画像を表示させる場合、表示制御回路から制御用スイッチングトランジスタＱｘをオン状態にする制御信号ＤＳを出力するように設定した。また、ホールド表示方法で画像を表示させる場合、表示制御回路から制御用スイッチングトランジスタＱｘをオフ状態にする制御信号ＤＳを出力するように設定した。【選択図】      図３
2004317677.tif 000002
【特許請求の範囲】
【請求項１】
電子素子と、前記電子素子に電気的に接続可能な第１のトランジスタ及び第２のトランジスタを備えた電子回路の駆動方法であって、
前記第１のトランジスタ及び前記第２のトランジスタのうち少なくとも１つのトランジスタを介して前記電子素子に電流を供給し、
前記第１のトランジスタ及び前記第２のトランジスタを介して前記電子素子に電流を供給する場合の期間と、前記第１のトランジスタを電流が通過し、前記第２のトランジスタを電流を通過しない場合の前記第１のトランジスタを介して前記電子素子に電流を供給する期間とは異なっていることを特徴とする電子回路の駆動方法。
【請求項２】
電子素子と、データ信号に応じた電荷を蓄積する容量素子と、前記容量素子に蓄積された電荷に応じた電流レベルを有する第１の電流を生成する第１のトランジスタとを含む電子回路の駆動方法であって、
前記電子回路はさらに、
前記容量素子に蓄積された電荷に応じた電流レベルを有する第２の電流を生成する第２のトランジスタと、
前記第２のトランジスタと接続され、オン状態になることで前記第２の電流が通過する第１のスイッチング素子と、
前記第１のトランジスタ及び前記第１のスイッチング素子と接続され、前記第１のスイッチング素子とともにオン状態になることで前記第１の電流とともに前記第２の電流を通過させる第２のスイッチング素子と
を備え、
前記第１のスイッチング素子及び前記第２のスイッチング素子をそれぞれオフ状態にした状態で、前記容量素子にデータ信号に応じた電荷を蓄積する第１のステップと、
前記第１のスイッチング素子をオン状態にした状態で、前記第２のスイッチング素子をオン状態またはオフ状態にする第２のステップと
を含むことを特徴とする電子回路の駆動方法。
【請求項３】
請求項１または２に記載の電子回路の駆動方法において、
前記電子回路は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された前記第１のスイッチング素子と、
第７の端子と第８の端子と第４の制御用端子とを備え、前記第７の端子が前記第２の端子及び前記第６の端子に接続された前記第２のスイッチング素子と、
第１接続端子と第２接続端子とを備え、前記第１接続端子が前記第１の制御用端子に接続されるとともに、前記第２接続端子が前記第１の端子に接続された前記容量素子と、
第９の端子と第１０の端子と第５の制御用端子とを備え、前記第９の端子が前記第１の制御用端子に接続されるとともに、前記第１０の端子が前記第２の端子に接続された第３のスイッチング素子と、
第１１の端子と第１２の端子と第６の制御用端子とを備え、前記第１１の端子が前記第２の端子に接続されるとともに、前記第１２の端子が前記複数のデータ線のうちの一つのデータ線に接続された第４のスイッチング素子とから構成されていることを特徴とする電子回路の駆動方法。
【請求項４】
請求項１または２に記載の電子回路の駆動方法において、
前記電子回路は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された前記第１のスイッチング素子と、
第７の端子と第８の端子と第４の制御用端子とを備え、前記第７の端子が前記第２の端子及び前記第６の端子に接続された前記第２のスイッチング素子と、
第１接続端子と第２接続端子とを備え、前記第１接続端子が前記第１の制御用端子に接続されるとともに、前記第２接続端子が前記第１の端子に接続された前記容量素子と、
第１３の端子と第１４の端子と第７の制御用端子とを備え、前記第１３の端子が前記第１接続端子に接続され、前記第１４の端子が前記複数のデータ線のうちの一つのデータ線に接続された第５のスイッチング素子とから構成されていることを特徴とする電子回路の駆動方法。
【請求項５】
請求項１または２に記載の電子回路の駆動方法において、
前記電子回路は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された前記第１のスイッチング素子と、
第７の端子と第８の端子と第４の制御用端子とを備え、前記第７の端子が前記第２の端子及び前記第６の端子に接続された前記第２のスイッチング素子と、
第１接続端子と第２接続端子とを備え、前記第１接続端子が前記第１の制御用端子に接続されるとともに、前記第２接続端子が前記第１の端子に接続された前記容量素子と、
第１５の端子と第１６の端子と第８の制御用端子とを備え、前記第１５の端子が前記第１の端子に接続され、前記第８の制御用端子が前記第１の制御用端子に接続された第３のトランジスタと、
第１７の端子と第１８の端子と第９の制御用端子とを備え、前記第１７の端子が前記第１接続端子に接続された第６のスイッチング素子と、
第１９の端子と第２０の端子と第１０の制御用端子とを備え、前記第１８の端子及び前記第１６の端子が前記第１９の端子に接続され、前記第２０の端子が前記複数のデータ線のうちの一つのデータ線に接続された第７のスイッチング素子とから構成されていることを特徴とする電子回路の駆動方法。
【請求項６】
データ線を介して供給されるデータ信号に応じて電荷を蓄積する容量素子と、
前記容量素子に蓄積された電荷に応じて導通状態が設定される第１のトランジスタと、
前記容量素子に蓄積された電荷に応じて導通状態が設定される第２のトランジスタと、
前記第２のトランジスタと接続され、オン状態になることで前記第２のトランジスタの導通状態に応じたレベルの第１の電流を通過させる第１のスイッチング素子と、
前記第１のトランジスタ及び前記第１のスイッチング素子と接続され、前記第１のスイッチング素子がオン状態になることで前記第１の電流とともに前記第１のトランジスタの導通状態に応じたレベルの第２の電流を通過させる第２のスイッチング素子と
を備えたことを特徴とする電子回路。
【請求項７】
請求項６に記載の電子回路において、
前記第１のトランジスタの駆動能力と前記第２のトランジスタの駆動能力は、その第１のトランジスタの駆動能力と、同第１のトランジスタの駆動能力と前記第２のトランジスタの駆動能力の和との比が、前記第１のスイッチング素子をオフ状態且つ前記第２のスイッチング素子をオン状態にさせる期間と、前記第１のスイッチング素子及び前記第２のスイッチング素子をともにオン状態にさせる期間との比と同じになるように設定されていることを特徴とする電子回路。
【請求項８】
請求項６または７に記載の電子回路において、
前記電子回路は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された前記第１のスイッチング素子と、
第７の端子と第８の端子と第４の制御用端子とを備え、前記第７の端子が前記第２の端子及び前記第６の端子に接続された前記第２のスイッチング素子と、
第１接続端子と第２接続端子とを備え、前記第１接続端子が前記第１の制御用端子に接続されるとともに、前記第２接続端子が前記第１の端子に接続された前記容量素子と、
第９の端子と第１０の端子と第５の制御用端子とを備え、前記第９の端子が前記第１の制御用端子に接続されるとともに、前記第１０の端子が前記第２の端子に接続された第３のスイッチング素子と、
第１１の端子と第１２の端子と第６の制御用端子とを備え、前記第１１の端子が前記第２の端子に接続されるとともに、前記第１２の端子が前記複数のデータ線のうちの一つのデータ線に接続された第４のスイッチング素子と
を備えたことを特徴とする電子回路。
【請求項９】
請求項６または７に記載の電子回路において、
前記電子回路は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された前記第１のスイッチング素子と、
第７の端子と第８の端子と第４の制御用端子とを備え、前記第７の端子が前記第２の端子及び前記第６の端子に接続された前記第２のスイッチング素子と、
第１接続端子と第２接続端子とを備え、前記第１接続端子が前記第１の制御用端子に接続されるとともに、前記第２接続端子が前記第１の端子に接続された前記容量素子と、
第１３の端子と第１４の端子と第７の制御用端子とを備え、前記第１３の端子が前記第１接続端子に接続され、前記第１４の端子が前記複数のデータ線のうちの一つのデータ線に接続された第５のスイッチング素子と
を備えたことを特徴とする電子回路。
【請求項１０】
請求項６または７に記載の電子回路において、
前記電子回路は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された前記第１のスイッチング素子と、
第７の端子と第８の端子と第４の制御用端子とを備え、前記第７の端子が前記第２の端子及び前記第６の端子に接続された前記第２のスイッチング素子と、
第１接続端子と第２接続端子とを備え、前記第１接続端子が前記第１の制御用端子に接続されるとともに、前記第２接続端子が前記第１の端子に接続された前記容量素子と、
第１５の端子と第１６の端子と第８の制御用端子とを備え、前記第１５の端子が前記第１の端子に接続され、前記第８の制御用端子が前記第１の制御用端子に接続された第３のトランジスタと、
第１７の端子と第１８の端子と第９の制御用端子とを備え、前記第１７の端子が前記第１接続端子に接続された第６のスイッチング素子と、
第１９の端子と第２０の端子と第１０の制御用端子とを備え、前記第１８の端子及び前記第１６の端子が前記第１９の端子に接続され、前記第２０の端子が前記複数のデータ線のうちの一つのデータ線に接続された第７のスイッチング素子と
を備えたことを特徴とする電子回路。
【請求項１１】
請求項６乃至１０のいずれか一つに記載の電子回路において、
前記第８の端子には電子素子または電流駆動素子が接続されていることを特徴とする電子回路。
【請求項１２】
複数の走査線と、複数のデータ線と、前記走査線と前記データ線の交差部に対応して配置された電気光学素子を有する複数の単位回路とを備えた電気光学装置の駆動方法であって、
前記複数の単位回路の各々はさらに、容量素子に蓄積された電荷に応じて導通状態が設定される第１のトランジスタ及び第２のトランジスタを備え、
前記複数の走査線のうち選択された走査線に接続された単位回路の前記容量素子に前記データ線を介して供給される画像データに応じた電荷を蓄積するステップと、
前記画像データが動画表示を行うためのデータであるか静止画表示を行うためのデータであるかを判断し、前記画像データが動画表示であると判断した場合は、前記電気光学素子と前記第２のトランジスタとを電気的に接続した状態で前記電気光学素子に前記容量素子に蓄積された電荷に応じた電流を供給する、若しくは前記画像データが静止画表示であると判断した場合は、前記電気光学素子と前記第２のトランジスタとを電気的に切断した状態で前記電気光学素子に前記容量素子に蓄積された電荷に応じた電流を供給するステップと
を含むことを特徴とする電気光学装置の駆動方法。
【請求項１３】
請求項１２に記載の電気光学装置の駆動方法において、
前記複数の単位回路の各々は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された第１のスイッチング素子と、
第７の端子と第８の端子と第４の制御用端子とを備え、前記第７の端子が前記第２の端子及び前記第６の端子に接続された第２のスイッチング素子と、
第１接続端子と第２接続端子とを備え、前記第１接続端子が前記第１の制御用端子に接続されるとともに、前記第２接続端子が前記第１の端子に接続された前記容量素子と、
第９の端子と第１０の端子と第５の制御用端子とを備え、前記第９の端子が前記第１の制御用端子に接続されるとともに、前記第１０の端子が前記第２の端子に接続された第３のスイッチング素子と、
第１１の端子と第１２の端子と第６の制御用端子とを備え、前記第１１の端子が前記第２の端子に接続されるとともに、前記第１２の端子が前記複数のデータ線のうちの一つのデータ線に接続された第４のスイッチング素子と
から構成されていることを特徴とする電気光学装置の駆動方法。
【請求項１４】
請求項１２に記載の電気光学装置の駆動方法において、
前記複数の単位回路の各々は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された第１のスイッチング素子と、
第７の端子と第８の端子と第４の制御用端子とを備え、前記第７の端子が前記第２の端子及び前記第６の端子に接続された第２のスイッチング素子と、
第１接続端子と第２接続端子とを備え、前記第１接続端子が前記第１の制御用端子に接続されるとともに、前記第２接続端子が前記第１の端子に接続された前記容量素子と、
第１３の端子と第１４の端子と第７の制御用端子とを備え、前記第１３の端子が前記第１接続端子に接続され、前記第１４の端子が前記複数のデータ線のうちの一つのデータ線に接続された第５のスイッチング素子と
から構成されていることを特徴とする電気光学装置の駆動方法。
【請求項１５】
請求項１２に記載の電気光学装置の駆動方法において、
前記複数の単位回路の各々は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された第１のスイッチング素子と、
第７の端子と第８の端子と第４の制御用端子とを備え、前記第７の端子が前記第２の端子及び前記第６の端子に接続された第２のスイッチング素子と、
第１接続端子と第２接続端子とを備え、前記第１接続端子が前記第１の制御用端子に接続されるとともに、前記第２接続端子が前記第１の端子に接続された前記容量素子と、
第１５の端子と第１６の端子と第８の制御用端子とを備え、前記第１５の端子が前記第１の端子に接続され、前記第８の制御用端子が前記第１の制御用端子に接続された第３のトランジスタと、
第１７の端子と第１８の端子と第９の制御用端子とを備え、前記第１７の端子が前記第１接続端子に接続された第６のスイッチング素子と、
第１９の端子と第２０の端子と第１０の制御用端子とを備え、前記第１８の端子及び前記第１６の端子が前記第１９の端子に接続され、前記第２０の端子が前記複数のデータ線のうちの一つのデータ線に接続された第７のスイッチング素子と
から構成されていることを特徴とする電気光学装置の駆動方法。
【請求項１６】
複数の走査線と、複数のデータ線と、前記走査線と前記データ線の交差部に対応して配置された電気光学素子を備えた複数の単位回路とを備えた電気光学装置であって、
前記複数の単位回路の各々は、
前記データ線を介して供給されるデータ信号に応じて電荷を蓄積する容量素子と、
前記容量素子に蓄積された電荷に応じて導通状態が設定される第１のトランジスタと、
前記容量素子に蓄積された電荷に応じて導通状態が設定される第２のトランジスタと、
前記第２のトランジスタと接続され、オン状態になることで前記第２のトランジスタの導通状態に応じたレベルの第１の電流を通過させる第１のスイッチング素子と、
前記第１のトランジスタ及び前記第１のスイッチング素子と接続され、前記第１のスイッチング素子とともにオン状態になることで前記第１の電流とともに前記第１のトランジスタの導通状態に応じたレベルの第２の電流を通過させ前記電気光学素子に供給する第２のスイッチング素子と
を備えたことを特徴とする電気光学装置。
【請求項１７】
請求項１６に記載の電気光学装置において、
前記第１のトランジスタの駆動能力と前記第２のトランジスタの駆動能力は、その第１のトランジスタの駆動能力と、同第１のトランジスタの駆動能力と前記第２のトランジスタの駆動能力の和との比が、前記第１のスイッチング素子をオフ状態且つ前記第２のスイッチング素子をオン状態にさせる期間と、前記第１のスイッチング素子及び前記第２のスイッチング素子をともにオン状態にさせる期間との比と同じになるように設定されていることを特徴とする電気光学装置。
【請求項１８】
請求項１６または１７に記載の電気光学装置において、
前記複数の単位回路の各々は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された前記第１のスイッチング素子と、
第７の端子と第８の端子と第４の制御用端子とを備え、前記第７の端子が前記第２の端子及び前記第６の端子に接続された前記第２のスイッチング素子と、
第１接続端子と第２接続端子とを備え、前記第１接続端子が前記第１の制御用端子に接続されるとともに、前記第２接続端子が前記第１の端子に接続された前記容量素子と、
第９の端子と第１０の端子と第５の制御用端子とを備え、前記第９の端子が前記第１の制御用端子に接続されるとともに、前記第１０の端子が前記第２の端子に接続された第３のスイッチング素子と、
第１１の端子と第１２の端子と第６の制御用端子とを備え、前記第１１の端子が前記第２の端子に接続されるとともに、前記第１２の端子が前記複数のデータ線のうちの一つのデータ線に接続された第４のスイッチング素子と
を備えたことを特徴とする電気光学装置。
【請求項１９】
請求項１６または１７に記載の電気光学装置において、
前記複数の単位回路の各々は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された前記第１のスイッチング素子と、
第７の端子と第８の端子と第４の制御用端子とを備え、前記第７の端子が前記第２の端子及び前記第６の端子に接続された前記第２のスイッチング素子と、
第１接続端子と第２接続端子とを備え、前記第１接続端子が前記第１の制御用端子に接続されるとともに、前記第２接続端子が前記第１の端子に接続された前記容量素子と、
第１３の端子と第１４の端子と第７の制御用端子とを備え、前記第１３の端子が前記第１接続端子に接続され、前記第１４の端子が前記複数のデータ線のうちの一つのデータ線に接続された第５のスイッチング素子と
を備えたことを特徴とする電気光学装置。
【請求項２０】
請求項１６または１７に記載の電気光学装置において、
前記複数の単位回路の各々は、
第１の端子と第２の端子と第１の制御用端子とを備えた前記第１のトランジスタと、
第３の端子と第４の端子と第２の制御用端子とを備え、前記第３の端子が前記第１の端子に接続され、前記第２の制御用端子が前記第１の制御用端子に接続された前記第２のトランジスタと、
第５の端子と第６の端子と第３の制御用端子とを備え、前記第５の端子が前記第４の端子に接続された前記第１のスイッチング素子と、
第７の端子と第８の端子と第４の制御用端子とを備え、前記第７の端子が前記第２の端子及び前記第６の端子に接続された前記第２のスイッチング素子と、
第１接続端子と第２接続端子とを備え、前記第１接続端子が前記第１の制御用端子に接続されるとともに、前記第２接続端子が前記第１の端子に接続された前記容量素子と、
第１５の端子と第１６の端子と第８の制御用端子とを備え、前記第１５の端子が前記第１の端子に接続され、前記第８の制御用端子が前記第１の制御用端子に接続された第３のトランジスタと、
第１７の端子と第１８の端子と第９の制御用端子とを備え、前記第１７の端子が前記第１接続端子に接続された第６のスイッチング素子と、
第１９の端子と第２０の端子と第１０の制御用端子とを備え、前記第１８の端子及び前記第１６の端子が前記第１９の端子に接続され、前記第２０の端子が前記複数のデータ線のうちの一つのデータ線に接続された第７のスイッチング素子と
を備えたことを特徴とする電気光学装置。
【請求項２１】
請求項１６乃至２０のいずれか一つに記載の電気光学装置において、
前記電気光学素子は、ＥＬ素子であることを特徴とする電気光学装置。
【請求項２２】
請求項２１に記載の電気光学装置において、
前記ＥＬ素子は、発光層が有機材料で構成された有機ＥＬ素子であることを特徴とする電気光学装置。
【請求項２３】
請求項６乃至１１のいずれか一つに記載の電子回路を備えたことを特徴とする電子機器。
【請求項２４】
請求項１６乃至２２のいずれか一つに記載の電気光学装置を備えたことを特徴とする電子機器。
【発明の詳細な説明】
【０００１】
【発明の属する技術分野】
本発明は、電子回路の駆動方法、電子回路、電気光学装置の駆動方法、電気光学装置及び電子機器に関するものである。
【０００２】
【従来の技術】
例えば、電気光学装置としての表示ディスプレイの一つに、各画素回路に有機ＥＬ素子を制御する駆動トランジスタを備えた表示ディスプレイがある。
【０００３】
前記各画素回路は、走査線駆動回路及びデータ線駆動回路に接続され、前記走査線駆動回路から出力される走査信号によって画素回路が選択されるとともに、その選択された画素回路にデータ線駆動回路から出力されるデータ信号が供給される。そして、前記データ信号の大きさに応じた駆動電流を前記駆動トランジスタが有機ＥＬ素子に供給することで、有機ＥＬ素子が発光するようになっている（特許文献１参照）。
【０００４】
【特許文献１】
国際公開第ＷＯ９８／３６４０７号パンフレット
【０００５】
【発明が解決しようとする課題】
有機ＥＬ素子や液晶素子などの電気光学素子を備えた表示装置において、動画特性を向上させるために、１フレーム内で電気光学素子を駆動する駆動期間を短縮するいわゆるインパルス駆動方法が一つの有力な方法である。一方、静止画を表示する場合は、電気光学素子の駆動期間を短縮しないほうがよい場合がある。そこで、その目的は電気光学素子の駆動期間を切り換えて使用する場合に生じる輝度の変化を抑制することのできる電子回路の駆動方法、電子回路、電気光学装置の駆動方法、電気光学装置及び電子機器を提供することにある。
【０００６】
【課題を解決するための手段】
本発明の電子回路の駆動方法は、電子素子と、前記電子素子に電気的に接続可能な第１のトランジスタ及び第２のトランジスタを備えた電子回路の駆動方法であって、前記第１のトランジスタ及び前記第２のトランジスタのうち少なくとも１つのトランジスタを介して前記電子素子に電流を供給し、前記第１のトランジスタ及び前記第２のトランジスタを介して前記電子素子に電流を供給する場合の期間と、前記第１のトランジスタを電流が通過し、前記第２のトランジスタを電流を通過しない場合の前記第１のトランジスタを介して前記電子素子に電流を供給する期間とは異なっている。
【０００７】
これによれば、第２のトランジスタと電子素子とを電気的に切断した状態にすることで、第１のトランジスタにて生成された第１の電流のみを電子素子に供給する。若しくは、第２のトランジスタと電子素子とを電気的に接続した状態にすることで、前記第１の電流と第２のトランジスタにて生成された第２の電流とが合成された電流を電子素子に供給する。この結果、電子素子を第１の電流若しくは前記第１の電流と前記第２の電流とが合成された電流に応じて駆動させることができる。
【０００８】
本発明の電子回路の駆動方法は、電子素子と、データ信号に応じた電荷を蓄積する容量素子と、前記容量素子に蓄積された電荷に応じた電流レベルを有する第１の電流を生成する第１のトランジスタとを含む電子回路の駆動方法であって、前記電子回路はさらに、前記容量素子に蓄積された電荷に応じた電流レベルを有する第２の電流を生成する第２のトランジスタと、前記第２のトランジスタと接続され、オン状態になることで前記第２の電流が通過する第１のスイッチング素子と、前記第１のトランジスタ及び前記第１のスイッチング素子と接続され、前記第１のスイッチング素子とともにオン状態になることで前記第１の電流とともに前記第２の電流を通過させる第２のスイッチング素子とを備え、前記第１のスイッチング素子及び前記第２のスイッチング素子をそれぞれオフ状態にした状態で、前記容量素子にデータ信号に応じた電荷を蓄積する第１のステップと、前記第１のスイッチング素子をオン状態にした状態で、前記第２のスイッチング素子をオン状態またはオフ状態にする第２のステップとを含む。
【０００９】
これによれば、第１のスイッチング素子をオフ状態、第２のスイッチング素子をオン状態にすることで第１のトランジスタにて生成された第１の電流のみを電子素子に供給する。若しくは、第１のスイッチング素子及び第２のスイッチング素子を共にオン状態にすることで前記第１の電流と第２の電流とが合成された電流を電子素子に供給する。つまり、前記第１のスイッチング素子をオン・オフ制御することで異なる電流レベルを有する電流を前記電子素子に供給させることができる。
【００１０】
この電子回路の駆動方法において、前記電子回路は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された前記第１のスイッチング素子と、第７の端子と第８の端子と第４の制御用端子とを備え、前記第７の端子が前記第２の端子及び前記第６の端子に接続された前記第２のスイッチング素子と、第１接続端子と第２接続端子とを備え、前記第１接続端子が前記第１の制御用端子に接続されるとともに、前記第２接続端子が前記第１の端子に接続された前記容量素子と、第９の端子と第１０の端子と第５の制御用端子とを備え、前記第９の端子が前記第１の制御用端子に接続されるとともに、前記第１０の端子が前記第２の端子に接続された第３のスイッチング素子と、第１１の端子と第１２の端子と第６の制御用端子とを備え、前記第１１の端子が前記第２の端子に接続されるとともに、前記第１２の端子が前記複数のデータ線のうちの一つのデータ線に接続された第４のスイッチング素子とから構成されてもよい。
【００１１】
これによれば、上記のように構成された電子回路において、その第１のスイッチング素子をオン・オフ制御することで異なる電流レベルを有する電流を前記電子素子に供給させることができる。
【００１２】
この電子回路の駆動方法において、前記電子回路は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された前記第１のスイッチング素子と、第７の端子と第８の端子と第４の制御用端子とを備え、前記第７の端子が前記第２の端子及び前記第６の端子に接続された前記第２のスイッチング素子と、第１接続端子と第２接続端子とを備え、前記第１接続端子が前記第１の制御用端子に接続されるとともに、前記第２接続端子が前記第１の端子に接続された前記容量素子と、第１３の端子と第１４の端子と第７の制御用端子とを備え、前記第１３の端子が前記第１接続端子に接続され、前記第１４の端子が前記複数のデータ線のうちの一つのデータ線に接続された第５のスイッチング素子とから構成されていてもよい。
【００１３】
これによれば、上記のように構成された電子回路において、その第１のスイッチング素子をオン・オフ制御することで異なる電流レベルを有する電流を前記電子素子に供給させることができる。
【００１４】
この電子回路の駆動方法において、前記電子回路は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された前記第１のスイッチング素子と、第７の端子と第８の端子と第４の制御用端子とを備え、前記第７の端子が前記第２の端子及び前記第６の端子に接続された前記第２のスイッチング素子と、第１接続端子と第２接続端子とを備え、前記第１接続端子が前記第１の制御用端子に接続されるとともに、前記第２接続端子が前記第１の端子に接続された前記容量素子と、第１５の端子と第１６の端子と第８の制御用端子とを備え、前記第１５の端子が前記第１の端子に接続され、前記第８の制御用端子が前記第１の制御用端子に接続された第３のトランジスタと、第１７の端子と第１８の端子と第９の制御用端子とを備え、前記第１７の端子が前記第１接続端子に接続された第６のスイッチング素子と、第１９の端子と第２０の端子と第１０の制御用端子とを備え、前記第１８の端子及び前記第１６の端子が前記第１９の端子に接続され、前記第２０の端子が前記複数のデータ線のうちの一つのデータ線に接続された第７のスイッチング素子とから構成されていてもよい。
【００１５】
これによれば、上記のように構成された電子回路において、その第１のスイッチング素子をオン・オフ制御することで異なる電流レベルを有する電流を前記電子素子に供給させることができる。
【００１６】
本発明の電子回路は、データ線を介して供給されるデータ信号に応じて電荷を蓄積する容量素子と、前記容量素子に蓄積された電荷に応じて導通状態が設定される第１のトランジスタと、前記容量素子に蓄積された電荷に応じて導通状態が設定される第２のトランジスタと、前記第２のトランジスタと接続され、オン状態になることで前記第２のトランジスタの導通状態に応じたレベルの第１の電流を通過させる第１のスイッチング素子と、前記第１のトランジスタ及び前記第１のスイッチング素子と接続され、前記第１のスイッチング素子とともにオン状態になることで前記第１の電流とともに前記第１のトランジスタの導通状態に応じたレベルの第２の電流を通過させる第２のスイッチング素子とを備えた。
【００１７】
これによれば、第１のスイッチング素子をオン・オフ制御することで第２のスイッチング素子に異なる電流レベルを有する電流を通過させることができる電子回路を提供することができる。
【００１８】
この電子回路において、前記第１のトランジスタの駆動能力と前記第２のトランジスタの駆動能力は、その第１のトランジスタの駆動能力と、同第１のトランジスタの駆動能力と前記第２のトランジスタの駆動能力の和との比が、前記第１のスイッチング素子をオフ状態且つ前記第２のスイッチング素子をオン状態にさせる期間と、前記第１のスイッチング素子及び前記第２のスイッチング素子をともにオン状態にさせる期間との比と同じになるように設定されていてもよい。
【００１９】
これによれば、前記第１のスイッチング素子がオフ状態且つ前記第２のスイッチング素子がオン状態での第２のスイッチング素子に流れる電流と、前記第１のスイッチング素子及び前記第２のスイッチング素子がともにオン状態での第２のスイッチング素子に流れる電流の所定時間当たりの電流レベルを同じにすることができる。
【００２０】
この電子回路において、前記電子回路は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された前記第１のスイッチング素子と、第７の端子と第８の端子と第４の制御用端子とを備え、前記第７の端子が前記第２の端子及び前記第６の端子に接続された前記第２のスイッチング素子と、第１接続端子と第２接続端子とを備え、前記第１接続端子が前記第１の制御用端子に接続されるとともに、前記第２接続端子が前記第１の端子に接続された前記容量素子と、第９の端子と第１０の端子と第５の制御用端子とを備え、前記第９の端子が前記第１の制御用端子に接続されるとともに、前記第１０の端子が前記第２の端子に接続された第３のスイッチング素子と、第１１の端子と第１２の端子と第６の制御用端子とを備え、前記第１１の端子が前記第２の端子に接続されるとともに、前記第１２の端子が前記複数のデータ線のうちの一つのデータ線に接続された第４のスイッチング素子とを備えていてもよい。
【００２１】
これによれば、上記のように構成された電子回路において、その第１のスイッチング素子をオン・オフ制御することで第２のスイッチング素子に異なる電流レベルを有する電流を通過させることができる電子回路を提供することができる。
【００２２】
この電子回路において、前記電子回路は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された前記第１のスイッチング素子と、第７の端子と第８の端子と第４の制御用端子とを備え、前記第７の端子が前記第２の端子及び前記第６の端子に接続された前記第２のスイッチング素子と、第１接続端子と第２接続端子とを備え、前記第１接続端子が前記第１の制御用端子に接続されるとともに、前記第２接続端子が前記第１の端子に接続された前記容量素子と、第１３の端子と第１４の端子と第７の制御用端子とを備え、前記第１３の端子が前記第１接続端子に接続され、前記第１４の端子が前記複数のデータ線のうちの一つのデータ線に接続された第５のスイッチング素子とを備えていてもよい。
【００２３】
これによれば、上記のように構成された電子回路において、その第１のスイッチング素子をオン・オフ制御することで第２のスイッチング素子に異なる電流レベルを有する電流を通過させることができる電子回路を提供することができる。
【００２４】
この電子回路において、前記電子回路は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された前記第１のスイッチング素子と、第７の端子と第８の端子と第４の制御用端子とを備え、前記第７の端子が前記第２の端子及び前記第６の端子に接続された前記第２のスイッチング素子と、第１接続端子と第２接続端子とを備え、前記第１接続端子が前記第１の制御用端子に接続されるとともに、前記第２接続端子が前記第１の端子に接続された前記容量素子と、第１５の端子と第１６の端子と第８の制御用端子とを備え、前記第１５の端子が前記第１の端子に接続され、前記第８の制御用端子が前記第１の制御用端子に接続された第３のトランジスタと、第１７の端子と第１８の端子と第９の制御用端子とを備え、前記第１７の端子が前記第１接続端子に接続された第６のスイッチング素子と、第１９の端子と第２０の端子と第１０の制御用端子とを備え、前記第１８の端子及び前記第１６の端子が前記第１９の端子に接続され、前記第２０の端子が前記複数のデータ線のうちの一つのデータ線に接続された第７のスイッチング素子とを備えていてもよい。
【００２５】
これによれば、上記のように構成された電子回路において、その第１のスイッチング素子をオン・オフ制御することで第２のスイッチング素子に異なる電流レベルを有する電流を通過させることができる電子回路を提供することができる。
【００２６】
この電子回路において、前記第８の端子には電子素子または電流駆動素子が接続されていてもよい。
これによれば、第１のスイッチング素子をオン・オフ制御することで異なる電流レベルを有する電流を電子素子または電流駆動素子に供給することができる電子回路を提供することができる。
【００２７】
本発明における電気光学装置の駆動方法は、複数の走査線と、複数のデータ線と、前記走査線と前記データ線の交差部に対応して配置された電気光学素子を有する複数の単位回路とを備えた電気光学装置の駆動方法であって、前記複数の単位回路の各々はさらに、容量素子に蓄積された電荷に応じて導通状態が設定される第１のトランジスタ及び第２のトランジスタを備え、前記複数の走査線のうち選択された走査線に接続された単位回路の前記容量素子に前記データ線を介して供給される画像データに応じた電荷を蓄積するステップと、前記電気光学素子と前記第２のトランジスタとを電気的に切断した状態で前記電気光学素子に前記容量素子に蓄積された電荷に応じた電流を供給する、若しくは前記電気光学素子と前記第２のトランジスタとを電気的に接続した状態で前記電気光学素子に前記容量素子に蓄積された電荷に応じた電流を供給するステップとを含む。
【００２８】
これによれば、第１のスイッチング素子をオフ状態、第２のスイッチング素子をオン状態にすることで第１のトランジスタにて生成された第１の電流のみを電気光学素子に供給する。若しくは、第１のスイッチング素子及び第２のスイッチング素子を共にオン状態にすることで前記第１の電流と第２の電流とが合成された電流を電気光学素子に供給する。つまり、前記第１のスイッチング素子をオン・オフ制御することで異なる電流レベルを有する電流を前記電気光学素子に供給させることができる。従って、１フレーム期間をほぼ前記電気光学素子に前記容量素子に蓄積された電荷に応じた電流を供給する期間として使用するまたはそれよりも短い時間を前記電気光学素子に前記容量素子に蓄積された電荷に応じた電流を供給する期間として使用する、所謂、ホールド型表示方法で前記電気光学素子の発光を制御する場合、第１のスイッチング素子をオフ状態、第２のスイッチング素子をオン状態にして第１の電流のみを電気光学素子に供給する。また、前記容量素子に蓄積された電荷に応じた電流を前記電気光学素子に瞬時的に供給する、所謂、インパルス型表示方法で前記電気光学素子の発光を制御する場合、第１のスイッチング素子及び第２のスイッチング素子を共にオン状態にして第１の電流及び第２の電流を電気光学素子に供給する。このようにすることで、ホールド型表示方法とインパルス型表示方法とを切り換えてときに生じる電気光学素子の輝度の変化を抑制できる電気光学装置を駆動させることができる。
【００２９】
この電気光学装置の駆動方法において、前記複数の単位回路の各々は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された第１のスイッチング素子と、第７の端子と第８の端子と第４の制御用端子とを備え、前記第７の端子が前記第２の端子及び前記第６の端子に接続された第２のスイッチング素子と、第１接続端子と第２接続端子とを備え、前記第１接続端子が前記第１の制御用端子に接続されるとともに、前記第２接続端子が前記第１の端子に接続された前記容量素子と、第９の端子と第１０の端子と第５の制御用端子とを備え、前記第９の端子が前記第１の制御用端子に接続されるとともに、前記第１０の端子が前記第２の端子に接続された第３のスイッチング素子と、第１１の端子と第１２の端子と第６の制御用端子とを備え、前記第１１の端子が前記第２の端子に接続されるとともに、前記第１２の端子が前記複数のデータ線のうちの一つのデータ線に接続された第４のスイッチング素子とから構成されていてもよい。
【００３０】
これによれば、上記のような単位回路を備えることで、全ての電気光学素子が駆動する期間（１フレーム期間）をほぼ前記電気光学素子に前記容量素子に蓄積された電荷に応じた電流を供給する期間として使用するまたはそれよりも短い時間を前記電気光学素子に前記容量素子に蓄積された電荷に応じた電流を供給する期間として使用する、所謂、ホールド型表示方法と、前記容量素子に蓄積された電荷に応じた電流を前記電気光学素子に瞬時的に供給する、所謂、インパルス型表示方法とを切り換えてときに生じる電気光学素子の輝度の変化を抑制できる電気光学装置を駆動させることができる。
【００３１】
この電気光学装置の駆動方法において、前記複数の単位回路の各々は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された第１のスイッチング素子と、第７の端子と第８の端子と第４の制御用端子とを備え、前記第７の端子が前記第２の端子及び前記第６の端子に接続された第２のスイッチング素子と、第１接続端子と第２接続端子とを備え、前記第１接続端子が前記第１の制御用端子に接続されるとともに、前記第２接続端子が前記第１の端子に接続された前記容量素子と、第１３の端子と第１４の端子と第７の制御用端子とを備え、前記第１３の端子が前記第１接続端子に接続され、前記第１４の端子が前記複数のデータ線のうちの一つのデータ線に接続された第５のスイッチング素子とから構成されてもよい。
【００３２】
これによれば、上記のような単位回路を備えることで、全ての電気光学素子が駆動する期間（１フレーム期間）をほぼ前記電気光学素子に前記容量素子に蓄積された電荷に応じた電流を供給する期間として使用するまたはそれよりも短い時間を前記電気光学素子に前記容量素子に蓄積された電荷に応じた電流を供給する期間として使用する、所謂、ホールド型表示方法と、前記容量素子に蓄積された電荷に応じた電流を前記電気光学素子に瞬時的に供給する、所謂、インパルス型表示方法とを切り換えてときに生じる電気光学素子の輝度の変化を抑制できる電気光学装置を駆動させることができる。
【００３３】
この電気光学装置の駆動方法において、前記複数の単位回路の各々は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された第１のスイッチング素子と、第７の端子と第８の端子と第４の制御用端子とを備え、前記第７の端子が前記第２の端子及び前記第６の端子に接続された第２のスイッチング素子と、第１接続端子と第２接続端子とを備え、前記第１接続端子が前記第１の制御用端子に接続されるとともに、前記第２接続端子が前記第１の端子に接続された前記容量素子と、第１５の端子と第１６の端子と第８の制御用端子とを備え、前記第１５の端子が前記第１の端子に接続され、前記第８の制御用端子が前記第１の制御用端子に接続された第３のトランジスタと、第１７の端子と第１８の端子と第９の制御用端子とを備え、前記第１７の端子が前記第１接続端子に接続された第６のスイッチング素子と、第１９の端子と第２０の端子と第１０の制御用端子とを備え、前記第１８の端子及び前記第１６の端子が前記第１９の端子に接続され、前記第２０の端子が前記複数のデータ線のうちの一つのデータ線に接続された第７のスイッチング素子とから構成されてもよい。
【００３４】
これによれば、上記のような単位回路を備えることで、全ての電気光学素子が駆動する期間（１フレーム期間）をほぼ前記電気光学素子に前記容量素子に蓄積された電荷に応じた電流を供給する期間として使用するまたはそれよりも短い時間を前記電気光学素子に前記容量素子に蓄積された電荷に応じた電流を供給する期間として使用する、所謂、ホールド型表示方法と、前記容量素子に蓄積された電荷に応じた電流を前記電気光学素子に瞬時的に供給する、所謂、インパルス型表示方法とを切り換えてときに生じる電気光学素子の輝度の変化を抑制できる電気光学装置を駆動させることができる。
【００３５】
本発明の電気光学装置は、複数の走査線と、複数のデータ線と、前記走査線と前記データ線の交差部に対応して配置された電気光学素子を備えた複数の単位回路とを備えた電気光学装置であって、前記複数の単位回路の各々は、前記データ線を介して供給されるデータ信号に応じて電荷を蓄積する容量素子と、前記容量素子に蓄積された電荷に応じて導通状態が設定される第１のトランジスタと、前記容量素子に蓄積された電荷に応じて導通状態が設定される第２のトランジスタと、前記第２のトランジスタと接続され、オン状態になることで前記第２のトランジスタの導通状態に応じたレベルの第１の電流を通過させる第１のスイッチング素子と、前記第１のトランジスタ及び前記第１のスイッチング素子と接続され、前記第１のスイッチング素子とともにオン状態になることで前記第１の電流とともに前記第１のトランジスタの導通状態に応じたレベルの第２の電流を通過させ前記電気光学素子に供給する第２のスイッチング素子とを備えた。
【００３６】
これによれば、第１のスイッチング素子をオフ状態、第２のスイッチング素子をオン状態にすることで第１のトランジスタにて生成された第１の電流のみを電気光学素子に供給する。若しくは、第１のスイッチング素子及び第２のスイッチング素子を共にオン状態にすることで前記第１の電流と第２の電流とが合成された電流を電気光学素子に供給する。つまり、前記第１のスイッチング素子をオン・オフ制御することで異なる電流レベルを有する電流を前記電気光学素子に供給させることができる電気光学装置を提供することができる。
【００３７】
この電気光学装置において、前記第１のトランジスタの駆動能力と前記第２のトランジスタの駆動能力は、その第１のトランジスタの駆動能力と、同第１のトランジスタの駆動能力と前記第２のトランジスタの駆動能力の和との比が、前記第１のスイッチング素子をオフ状態且つ前記第２のスイッチング素子をオン状態にさせる期間と、前記第１のスイッチング素子及び前記第２のスイッチング素子をともにオン状態にさせる期間との比と同じになるように設定されていてもよい。
【００３８】
これによれば、前記第１のスイッチング素子をオフ状態且つ前記第２のスイッチング素子をオン状態に設定した期間での電気光学素子の輝度と、前記第１のスイッチング素子及び前記第２のスイッチング素子をともにオン状態に設定した期間での電気光学素子の輝度を同じにすることができる。
【００３９】
この電気光学装置において、前記複数の単位回路の各々は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された前記第１のスイッチング素子と、第７の端子と第８の端子と第４の制御用端子とを備え、前記第７の端子が前記第２の端子及び前記第６の端子に接続された前記第２のスイッチング素子と、第１接続端子と第２接続端子とを備え、前記第１接続端子が前記第１の制御用端子に接続されるとともに、前記第２接続端子が前記第１の端子に接続された前記容量素子と、第９の端子と第１０の端子と第５の制御用端子とを備え、前記第９の端子が前記第１の制御用端子に接続されるとともに、前記第１０の端子が前記第２の端子に接続された第３のスイッチング素子と、第１１の端子と第１２の端子と第６の制御用端子とを備え、前記第１１の端子が前記第２の端子に接続されるとともに、前記第１２の端子が前記複数のデータ線のうちの一つのデータ線に接続された第４のスイッチング素子とを備えていてもよい。
【００４０】
これによれば、上記のような単位回路を備えることで、全ての電気光学素子が駆動する期間（１フレーム期間）をほぼ前記電気光学素子に前記容量素子に蓄積された電荷に応じた電流を供給する期間として使用するまたはそれよりも短い時間を前記電気光学素子に前記容量素子に蓄積された電荷に応じた電流を供給する期間として使用する、所謂、ホールド型表示方法と、前記容量素子に蓄積された電荷に応じた電流を前記電気光学素子に瞬時的に供給する、所謂、インパルス型表示方法とを切り換えてときに生じる電気光学素子の輝度の変化を抑制できる電気光学装置を提供することができる。
【００４１】
この電気光学装置において、前記複数の単位回路の各々は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された前記第１のスイッチング素子と、第７の端子と第８の端子と第４の制御用端子とを備え、前記第７の端子が前記第２の端子及び前記第６の端子に接続された前記第２のスイッチング素子と、第１接続端子と第２接続端子とを備え、前記第１接続端子が前記第１の制御用端子に接続されるとともに、前記第２接続端子が前記第１の端子に接続された前記容量素子と、第１３の端子と第１４の端子と第７の制御用端子とを備え、前記第１３の端子が前記第１接続端子に接続され、前記第１４の端子が前記複数のデータ線のうちの一つのデータ線に接続された第５のスイッチング素子とを備えていてもよい。
【００４２】
これによれば、上記のような単位回路を備えることで、全ての電気光学素子が駆動する期間（１フレーム期間）をほぼ前記電気光学素子に前記容量素子に蓄積された電荷に応じた電流を供給する期間として使用するまたはそれよりも短い時間を前記電気光学素子に前記容量素子に蓄積された電荷に応じた電流を供給する期間として使用する、所謂、ホールド型表示方法と、前記容量素子に蓄積された電荷に応じた電流を前記電気光学素子に瞬時的に供給する、所謂、インパルス型表示方法とを切り換えてときに生じる電気光学素子の輝度の変化を抑制できる電気光学装置を提供することができる。
【００４３】
この電気光学装置において、前記複数の単位回路の各々は、第１の端子と第２の端子と第１の制御用端子とを備えた前記第１のトランジスタと、第３の端子と第４の端子と第２の制御用端子とを備え、前記第３の端子が前記第１の端子に接続され、前記第２の制御用端子が前記第１の制御用端子に接続された前記第２のトランジスタと、第５の端子と第６の端子と第３の制御用端子とを備え、前記第５の端子が前記第４の端子に接続された前記第１のスイッチング素子と、第７の端子と第８の端子と第４の制御用端子とを備え、前記第７の端子が前記第２の端子及び前記第６の端子に接続された前記第２のスイッチング素子と、第１接続端子と第２接続端子とを備え、前記第１接続端子が前記第１の制御用端子に接続されるとともに、前記第２接続端子が前記第１の端子に接続された前記容量素子と、第１５の端子と第１６の端子と第８の制御用端子とを備え、前記第１５の端子が前記第１の端子に接続され、前記第８の制御用端子が前記第１の制御用端子に接続された第３のトランジスタと、第１７の端子と第１８の端子と第９の制御用端子とを備え、前記第１７の端子が前記第１接続端子に接続された第６のスイッチング素子と、第１９の端子と第２０の端子と第１０の制御用端子とを備え、前記第１８の端子及び前記第１６の端子が前記第１９の端子に接続され、前記第２０の端子が前記複数のデータ線のうちの一つのデータ線に接続された第７のスイッチング素子とを備えていてもよい。
【００４４】
これによれば、上記のような単位回路を備えることで、全ての電気光学素子が駆動する期間（１フレーム期間）をほぼ前記電気光学素子に前記容量素子に蓄積された電荷に応じた電流を供給する期間として使用するまたはそれよりも短い時間を前記電気光学素子に前記容量素子に蓄積された電荷に応じた電流を供給する期間として使用する、所謂、ホールド型表示方法と、前記容量素子に蓄積された電荷に応じた電流を前記電気光学素子に瞬時的に供給する、所謂、インパルス型表示方法とを切り換えてときに生じる電気光学素子の輝度の変化を抑制できる電気光学装置を提供することができる。
【００４５】
この電気光学装置において、前記電気光学素子は、ＥＬ素子であってもよい。これによれば、上記したホールド型表示方法とインパルス型表示方法とを切り換えて画像を表示させるときに生じるＥＬ素子の輝度の変化を抑制させることができる。
【００４６】
この電気光学装置において、前記ＥＬ素子は、発光層が有機材料で構成されていてもよい。
これによれば、上記したホールド型表示方法とインパルス型表示方法とを切り換えて画像を表示させるときに生じる有機ＥＬ素子の輝度の変化を抑制させることができる。
【００４７】
本発明における電子機器は、上記電子回路を備えている。
これによれば、上記した第１のスイッチング素子をオン・オフ制御することで第２のスイッチング素子に異なる電流レベルを有する電流を通過させることができる電子回路を備えた電子機器を提供することができる。また、このオン・オフ制御を行ったときの電子素子に供給される電流レベルの差を抑制することができる。
【００４８】
本発明における電子機器は、上記電気光学装置を備えている。
これによれば、上記したホールド型表示方法とインパルス型表示方法とを切り換えて画像を表示させることができる電気光学装置を備えた電子機器において、その各表示方法を切り換えたときの電気光学素子の輝度の差を抑制することができる。この結果、表示品位の優れた電子機器を提供することができる。
【００４９】
【発明の実施の形態】
（第１実施形態）
以下、本発明を具体化した第１実施形態を図１〜図５に従って説明する。図１は、有機ＥＬディスプレイの電気的構成を示すブロック図である。図２は、表示パネル部及びデータ線駆動回路の電気的構成を示すブロック回路図である。図３は、本実施形態における画素回路の回路図である。
【００５０】
有機ＥＬディスプレイ１０は、信号生成回路１１、表示パネル部１２、走査線駆動回路１３、データ線駆動回路１４及び表示制御回路１５を備えている。有機ＥＬディスプレイ１０の信号生成回路１１、走査線駆動回路１３、データ線駆動回路１４及び表示制御回路１５は、それぞれが独立した電子部品によって構成されていてもよい。例えば、信号生成回路１１、走査線駆動回路１３、データ線駆動回路１４及び表示制御回路１５が、各々１チップの半導体集積回路装置によって構成されていてもよい。また、信号生成回路１１、走査線駆動回路１３、データ線駆動回路１４及び表示制御回路１５の全部若しくは一部がプログラマブルなＩＣチップで構成され、その機能がＩＣチップに書き込まれたプログラムによりソフトウェア的に実現されてもよい。
【００５１】
また、有機ＥＬディスプレイ１０は、ホールド型表示方法とインパルス型表示方法とを切り換えて使用することが可能なディスプレイである。ホールド型表示方法は、表示パネル部１２に形成される後記する各有機ＥＬ素子ＯＬＥＤ（図３参照）の発光期間が１フレーム期間（後記する全ての走査線Ｙ１〜Ｙｎが１巡して選択し終わる期間）とほぼ等しくなるように設定した表示方法である。
【００５２】
また、インパルス型表示方法は、前記各有機ＥＬ素子ＯＬＥＤの発光期間が瞬時的である設定した表示方法である。つまり、インパルス型表示方法は、後記する保持キャパシタＣｏ（図３参照）に蓄積された電荷に応じた後記する駆動電流Ｉｅｌ（図３参照）を有機ＥＬ素子ＯＬＥＤに供給する期間（発光期間）が、前記保持キャパシタＣｏにデータ信号Ｉｄａｔａに応じた電荷を蓄積する期間（データ書き込み期間）に比べて短くなるようにした表示方法である。そして、本実施形態では、有機ＥＬディスプレイ１０は、静止画像を表示する場合には前記ホールド型表示方法で表示を行い、動画画像を表示する場合には前記インパルス型表示方法で表示を行うようになっている。また、本実施形態においては、前記インパルス型表示方法で画像を表示する場合の有機ＥＬ素子ＯＬＥＤの発光期間は、前記ホールド型表示方法で画像を表示する場合の１／４になるように予め設定されている。
【００５３】
信号生成回路１１は、図示しない外部装置から供給される画像データＤに基づいて表示パネル部１２に画像を表示させるための走査線駆動信号ＳＫ及びデータ線駆動信号ＤＫを作成する。そして、信号生成回路１１は、前記走査線駆動信号ＳＫを走査線駆動回路１３に出力するとともに、前記データ線駆動信号ＤＫをデータ線駆動回路１４に出力する。
【００５４】
また、信号生成回路１１は、前記画像データＤに基づいて表示パネル部１２に表示される画像が静止画像であるかまたは動画画像であるかを判断する。そして、信号生成回路１１は、表示パネル部１２に表示される画像が静止画像であると判断した場合、その旨の表示制御信号ＧＫを作成するとともに、その作成した表示制御信号ＧＫを表示制御回路１５に出力する。また、信号生成回路１１は、表示パネル部１２に表示される画像が動画画像であると判断した場合、その旨の表示制御信号ＧＫを作成するとともに、その作成した表示制御信号ＧＫを表示制御回路１５に出力する。尚、表示パネル部１２に表示される画像が静止画像であるかまたは動画画像であるかの判断は、前記表示パネル部１２の１フレーム分の画像データに基づいて行ってもよい。また、後記するｎ本の走査線Ｙ１〜Ｙｎのうちの１本または複数本の走査線に対応して配置された画素回路に対する画像データに基づいて行ってもよい。
【００５５】
表示パネル部１２は、図２に示すように、マトリクス状に配置された複数の画素回路２０を備えている。また、表示パネル部１２は、そのマトリクス状に配置された前記画素回路２０の列方向に沿って延設されたｍ本のデータ線Ｘ１〜Ｘｍ（ｍは自然数）と、行方向に沿って延設されたｎ本の走査線Ｙ１〜Ｙｎ（ｎは自然数）とを備えている。そして、前記画素回路２０は、各データ線Ｘ１〜Ｘｍと走査線Ｙ１〜Ｙｎとの交差部に対応する位置に配置されている。各画素回路２０は、対応するデータ線Ｘ１〜Ｘｍと走査線Ｙ１〜Ｙｎとにそれぞれ接続されている。
【００５６】
また、表示パネル部１２は、複数の電源線ＶＬを備えている。各電源線ＶＬは、本実施形態においては、前記各走査線Ｙ１〜Ｙｎに平行してそれぞれ延設されている。そして、各電源線ＶＬは対応する各画素回路２０に接続されるとともに、前記表示パネル部１２の右端側に配置された画素回路２０の列方向に沿って延設された駆動電圧供給線Ｌｏに接続されている。前記駆動電圧供給線Ｌｏには駆動電圧Ｖｏｅｌが供給されている。このことによって、各画素回路２０には前記駆動電圧供給線Ｌｏ及び前記電源線ＶＬを介して駆動電圧Ｖｏｅｌが供給される。
【００５７】
さらに、表示パネル部１２は、複数の信号線ＬＳ１〜ＬＳｎを備えている。各信号線ＬＳ１〜ＬＳｎは、画素回路２０の行方向に沿って平行して延設されている。そして、各信号線ＬＳ１〜ＬＳｎは対応する画素回路２０にそれぞれ接続されるとともに、前記走査線駆動回路１３にそれぞれ接続されている。信号線ＬＳ１〜ＬＳｎは、前記走査線駆動回路１３から出力される後記するタイミング信号ＳＹ１〜ＳＹｎを対応する画素回路２０に供給する。
【００５８】
また、表示パネル部１２は、複数の制御線ＬＤ１〜ＬＤｎを備えている。各制御線ＬＤ１〜ＬＤｎは、本実施形態においては、前記各走査線Ｙ１〜Ｙｎに平行して延設されている。また、前記制御線ＬＤ１〜ＬＤｎは、各画素回路２０に接続されるとともに前記表示制御回路１５に接続されている。そして、制御線ＬＤ１〜ＬＤｎは、前記表示制御回路１５から出力される後記する制御信号ＤＳを対応する画素回路２０に供給する。
【００５９】
走査線駆動回路１３は、前記信号生成回路１１から出力される走査線駆動信号ＳＫに基づいて、表示パネル部１２に延設された走査線Ｙ１〜Ｙｎのうち、１本の走査線を選択し、その選択された走査線に走査信号ＳＣ１〜ＳＣｎ（ｎは自然数）を出力する。
【００６０】
また、走査線駆動回路１３は、前記走査線駆動信号ＳＫに基づいて各画素回路２０内に形成された有機ＥＬ素子ＯＬＥＤの発光期間を制御するタイミング信号ＳＹ１〜ＳＹｎ（ｎは自然数）を作成するとともに、その作成したタイミング信号ＳＹ１〜ＳＹｎをそれぞれ対応する前記信号線ＬＳ１〜ＬＳｎを介して各画素回路２０に出力する。
【００６１】
データ線駆動回路１４は、図２に示すように、複数の単一ラインドライバ２３を備えている。各単一ラインドライバ２３は、前記データ線Ｘ１〜Ｘｍを介して対応する画素回路２０にそれぞれ電気的に接続されている。また、各単一ラインドライバ２３は、信号生成回路１１から出力される前記データ線駆動信号ＤＫに基づいて、各データ信号Ｉｄａｔａをそれぞれ生成する。そして、各単一ラインドライバ２３は、その生成されたデータ信号Ｉｄａｔａを対応する前記データ線Ｘ１〜Ｘｍを介して対応する画素回路２０に出力する。本実施形態においては、前記各データ信号Ｉｄａｔａは電流信号である。したがって、各単一ラインドライバ２３は、前記データ線駆動信号ＤＫに基づいた電流値を生成し、その生成した値の電流をデータ信号Ｉｄａｔａとしてそれぞれ対応する前記データ線Ｘ１〜Ｘｍを介して対応する画素回路２０に出力する。
【００６２】
表示制御回路１５は、信号生成回路１１から前記表示パネル部１２に表示される画像が静止画像である旨の表示制御信号ＧＫが供給されると、各画素回路２０を構成する後記する制御用スイッチングトランジスタＱｘをオフ状態にする制御信号ＤＳを作成する。また、表示制御回路１５は、前記信号生成回路１１から前記表示パネル部１２に表示される画像が動画画像である旨の表示制御信号ＧＫが供給されると、前記制御用スイッチングトランジスタＱｘをオン状態にする制御信号ＤＳを作成する。さらに、表示制御回路１５は、その作成した各制御信号ＤＳを各制御線ＬＤ１〜ＬＤｎを介して各画素回路２０にそれぞれ出力する。
【００６３】
次に、このように構成された有機ＥＬディスプレイ１０の画素回路２０について図３に従って説明する。尚、各画素回路２０の回路構成は全て同じであるので、説明の便宜上、ｎ番目の走査線Ｙｎとｍ番目のデータ線Ｘｍとの交差部に対応する位置に配置された画素回路２０についてのみ説明する。
【００６４】
図３に示すように、画素回路２０は、第１及び第２の駆動トランジスタＱｄ１，Ｑｄ２、第１及び第２のスイッチングトランジスタＱｓｗ１，Ｑｓｗ２、開始トランジスタＱｓｔ及び制御用スイッチングトランジスタＱｘを備えている。また、画素回路２０は、保持キャパシタＣｏ及び有機ＥＬ素子ＯＬＥＤを備えている。
【００６５】
前記第１及び第２の駆動トランジスタＱｄ１，Ｑｄ２は、それぞれ、電流を供給する電流源として機能するトランジスタである。また、第１及び第２のスイッチングトランジスタＱｓｗ１，Ｑｓｗ２、開始トランジスタＱｓｔ及び制御用スイッチングトランジスタＱｘは、それぞれ、スイッチング素子として機能するトランジスタである。
【００６６】
前記第１及び第２の駆動トランジスタＱｄ１，Ｑｄ２の導電型は、本実施形態においては、それぞれｐ型である。また、前記第１及び第２のスイッチングトランジスタＱｓｗ１，Ｑｓｗ２、開始トランジスタＱｓｔ及び制御用スイッチングトランジスタＱｘの導電型は、本実施形態においては、それぞれｎ型である。
【００６７】
また、前記第１及び第２の駆動トランジスタＱｄ１，Ｑｄ２、第１及び第２のスイッチングトランジスタＱｓｗ１，Ｑｓｗ２、開始トランジスタＱｓｔ及び制御用スイッチングトランジスタＱｘは、それぞれ、通常はＴＦＴ（薄膜トランジスタ）で構成されている。
【００６８】
詳述すると、第１の駆動トランジスタＱｄ１は、そのドレインが開始トランジスタＱｓｔのドレインに接続されている。開始トランジスタＱｓｔのソースは、その発光層が有機材料で構成された有機ＥＬ素子ＯＬＥＤの陽極に接続され、同有機ＥＬ素子ＯＬＥＤの陰極は接地されている。また、開始トランジスタＱｓｔのゲートは、行方向に配置された他の画素回路２０の開始トランジスタＱｓｔのゲートとともに前記信号線ＬＳｎに接続されている。つまり、前記開始トランジスタＱｓｔは、前記信号線ＬＳｎを介して前記走査線駆動回路１３から出力されるタイミング信号ＳＹｎに応じてオン・オフ制御される。
【００６９】
また、前記第１の駆動トランジスタＱｄ１のドレインは、第１のスイッチングトランジスタＱｓｗ１のソースに接続されている。第１のスイッチングトランジスタＱｓｗ１のドレインは、列方向に配置された他の画素回路２０の第１のスイッチングトランジスタＱｓｗ１のドレインとともにデータ線Ｘｍに接続されている。
【００７０】
さらに、前記第１の駆動トランジスタＱｄ１のドレイン／ゲート間には、第２のスイッチングトランジスタＱｓｗ２が接続されている。前記第２のスイッチングトランジスタＱｓｗ２のゲートは、前記第１のスイッチングトランジスタＱｓｗ１のゲートに接続されるとともに走査線Ｙｎに接続されている。従って、前記第１のスイッチングトランジスタＱｓｗ１及び前記第２のスイッチングトランジスタＱｓｗ２は走査線Ｙｎを介して前記走査線駆動回路１３から出力される走査信号ＳＣｎに応じて、同時にオン・オフ制御される。
【００７１】
前記第１の駆動トランジスタＱｄ１のゲートには保持キャパシタＣｏの第１接続端子Ｅ１が接続され、同保持キャパシタＣｏの第２接続端子Ｅ２には同第１の駆動トランジスタＱｄ１のソースが接続されている。前記保持キャパシタＣｏは、前記データ信号Ｉｄａｔａの電流レベルに応じた電荷を蓄積する。また、前記第１の駆動トランジスタＱｄ１のソースは前記電源線ＶＬに接続され、前記駆動電圧Ｖｏｅｌが供給されるようになっている。
【００７２】
また、前記第１の駆動トランジスタＱｄ１には、該第１の駆動トランジスタＱｄ１に対して並列に第２の駆動トランジスタＱｄ２が接続されている。詳しくは、第１の駆動トランジスタＱｄ１のゲートは、前記第２の駆動トランジスタＱｄ２のゲートに接続されている。また、第１の駆動トランジスタＱｄ１のソースは、前記第２の駆動トランジスタＱｄ２のソースに接続されている。つまり、第２の駆動トランジスタＱｄ２のゲート／ソース間には、前記保持キャパシタＣｏが接続されている。このことによって、前記保持キャパシタＣｏに蓄積された電荷は、第１及び第２の駆動トランジスタＱｄ１，Ｑｄ２に等しく供給される。
【００７３】
また、前記第２の駆動トランジスタＱｄ２の駆動能力としての利得係数は、有機ＥＬ素子ＯＬＥＤの、インパルス型表示方式で使用したときの発光期間に応じて設定される。例えば、本実施形態におけるインパルス型表示方式においては、前記有機ＥＬ素子ＯＬＥＤの発光期間を１／４フレーム期間に設定し、第２の駆動トランジスタＱｄ２の利得係数を第１の駆動トランジスタＱｄ１の利得係数の３倍になるように設定する。
【００７４】
つまり、前記第１の駆動トランジスタＱｄ１の利得係数と、同第１の駆動トランジスタＱｄ１と前記第２の駆動トランジスタＱｄ２とのそれぞれの利得係数との和との比が、１フレーム期間と有機ＥＬ素子ＯＬＥＤの発光期間の比と同じになるように設定する。言い換えると、前記第１の駆動トランジスタＱｄ１の利得係数と、同第１の駆動トランジスタＱｄ１と前記第２の駆動トランジスタＱｄ２とのそれぞれの利得係数との和との比が、前記ホールド駆動と前記インパルス駆動とのデューティ比と同じになるように設定する。このようにすることで、ホールド型表示方法使用時に開始トランジスタＱｓｔを通過する駆動電流Ｉｅｌ（図３参照）とインパルス型表示方法使用時に開始トランジスタＱｓｔを通過する駆動電流Ｉｅｌの１フレーム期間当たりの電流レベルを同じにすることができる。この結果、ホールド型表示方法使用時の有機ＥＬ素子ＯＬＥＤの輝度とインパルス型表示方法使用時の有機ＥＬ素子ＯＬＥＤの輝度とを同じにすることができる。
【００７５】
前記第２の駆動トランジスタＱｄ２のドレインは、制御用スイッチングトランジスタＱｘのドレインに接続されている。制御用スイッチングトランジスタＱｘのソースは、前記開始トランジスタＱｓｔのドレインに接続されている。また、制御用スイッチングトランジスタＱｘのゲートは、行方向に沿って配置された他の画素回路２０の制御用スイッチングトランジスタＱｘのゲートとともに前記制御線ＬＤｎに接続されている。
【００７６】
このように構成された画素回路２０は、前記第１のスイッチングトランジスタＱｓｗ１及び前記第２のスイッチングトランジスタＱｓｗ２を同時にオン状態にさせることで、前記データ線Ｘｍを介して前記単一ラインドライバ２３にて生成されたデータ信号Ｉｄａｔａを同画素回路２０に供給させる。そして、前記データ信号Ｉｄａｔａの電流レベルに応じた電荷を前記保持キャパシタＣｏに蓄積させることができる。このことにより、前記第１及び第２の駆動トランジスタＱｄ１，Ｑｄ２のソース／ドレイン間には、前記保持キャパシタＣｏに蓄積された電荷に応じた電流レベルを有する電流を流すことができる。このとき、前記開始トランジスタＱｓｔをオン状態にすることによって、前記第１の駆動トランジスタＱｄ１のソース／ドレイン間に流れる電流を駆動電流Ｉｅｌとして有機ＥＬ素子ＯＬＥＤに供給させることができる。
【００７７】
また、前記開始トランジスタＱｓｔをオン状態にした状態で、前記制御用スイッチングトランジスタＱｘをオン状態にさせることで、前記第２の駆動トランジスタＱｄ２のソース／ドレイン間に流れる電流を前記有機ＥＬ素子ＯＬＥＤに供給することができる。つまり、前記開始トランジスタＱｓｔをオン状態、前記制御用スイッチングトランジスタＱｘをオフ状態にすると、有機ＥＬ素子ＯＬＥＤには前記第１の駆動トランジスタＱｄ１のソース／ドレイン間に流れる電流が駆動電流Ｉｅｌとして供給される。また、前記開始トランジスタＱｓｔ及び前記制御用スイッチングトランジスタＱｘを共にオン状態にすると、有機ＥＬ素子ＯＬＥＤには前記第１の駆動トランジスタＱｄ１のソース／ドレイン間に流れる電流と、前記第２の駆動トランジスタＱｄ２のソース／ドレイン間に流れる電流とが合成された合成電流が駆動電流Ｉｅｌとして供給される。
【００７８】
このとき、本実施形態においては、前記したように、前記第２の駆動トランジスタＱｄ２の利得係数を前記第１の駆動トランジスタＱｄ１の利得係数の３倍になるように設定した。その結果、前記有機ＥＬ素子ＯＬＥＤに供給される駆動電流Ｉｅｌの電流レベルは、前記制御用スイッチングトランジスタＱｘをオフ状態にした場合と比較して４倍になる。このため、前記開始トランジスタＱｓｔをオン状態にし、前記制御用スイッチングトランジスタＱｘをオン状態にすることで、前記有機ＥＬ素子ＯＬＥＤを４倍の輝度で発光させることができる。
【００７９】
以上のことから、前記信号生成回路１１が、前記表示パネル部１２に表示される画像を静止画像であると判断した場合、前記表示制御回路１５が各制御用スイッチングトランジスタＱｘをオフ状態にするＬレベルの制御信号ＤＳｎを出力するように設定する。また、信号生成回路１１が、前記表示パネル部１２に表示される画像を動画画像であると判断した場合、前記表示制御回路１５が各前記制御用スイッチングトランジスタＱｘをオン状態にするＨレベルの制御信号ＤＳｎを出力されるように設定する。
【００８０】
言い換えると、ホールド型表示方法で静止画像を表示する場合、前記表示制御回路１５は各前記制御用スイッチングトランジスタＱｘをオフ状態にするＬレベルの制御信号ＤＳｎが出力されるように設定する。また、インパルス型表示方法で動画画像を表示する場合、前記表示制御回路１５は各前記制御用スイッチングトランジスタＱｘをオン状態にするＨレベルの制御信号ＤＳが出力されるように設定する。
【００８１】
このようにすることによって、インパルス型表示方法での有機ＥＬ素子ＯＬＥＤの発光期間が、ホールド型表示方法での有機ＥＬ素子ＯＬＥＤの発光期間の１／４であっても、有機ＥＬ素子ＯＬＥＤの輝度を４倍にすることができる。従って、インパルス型表示方法を使用した場合と、ホールド型表示方法を使用した場合の有機ＥＬ素子ＯＬＥＤの１フレーム期間当たりの平均輝度を等しくすることができる。この結果、インパルス型表示方法で画像を表示する場合と、ホールド型表示方法で画像を表示する場合との有機ＥＬ素子ＯＬＥＤの１フレーム期間当たりの平均輝度の差を抑制する有機ＥＬディスプレイ１０を提供することができる。
【００８２】
しかも、本発明の有機ＥＬディスプレイ１０では、前記画像データＤやデータ信号Ｉｄａｔａの電流レベルを制御することで、インパルス型表示方法を使用した場合とホールド型表示方法を使用した場合とでの１フレーム当たりの平均輝度を等しくするのではなく、前記制御用スイッチングトランジスタＱｘをオン・オフ制御するだけで有機ＥＬ素子ＯＬＥＤの輝度の変化を抑制させることができる。従って、インパルス型表示方法使用時とホールド型表示方法使用時との輝度の差を容易に抑制することができる。
【００８３】
次に、前記有機ＥＬディスプレイ１０の駆動方法について、図４及び図５に従って説明する。
図４は、ホールド型表示方法を使用した場合の有機ＥＬディスプレイ１０の駆動方法を説明するためのタイミングチャートである。図５は、インパルス型表示方法を使用した場合の有機ＥＬディスプレイ１０の駆動方法を説明するためのタイミングチャートである。
【００８４】
以下、説明の便宜上、ホールド型表示方法を使用した場合と、インパルス型表示方法を使用した場合の有機ＥＬディスプレイ１０の駆動方法をそれぞれ分けて説明する。
【００８５】
（ホールド型表示方法）
まず、前記信号生成回路１１が前記画像データＤに基づいて表示パネル部１２に表示される画像が静止画像であると判断した場合、その旨の表示制御信号ＧＫが前記信号生成回路１１から表示制御回路１５に出力される。
【００８６】
すると、前記表示制御回路１５は、前記表示制御信号ＧＫに基づいて、Ｌレベルの制御信号ＤＳを作成し、その作成したＬレベルの制御信号ＤＳを各制御線ＬＤ１〜ＬＤｎを介して全ての画素回路２０に出力する。この結果、全ての画素回路２０の前記制御用スイッチングトランジスタＱｘはオフ状態になる。
【００８７】
そして、前記表示制御回路１５からＬレベルの制御信号ＤＳを各画素回路２０に出力した状態で、前記走査線駆動回路１３が前記信号生成回路１１から出力される走査線駆動信号ＳＫに基づいて、走査線Ｙ１を選択する。そして、前記走査線駆動回路１３から前記第１及び第２のスイッチングトランジスタＱｓｗ１，Ｑｓｗ２を同時にオン状態にするＨレベルの走査信号ＳＣ１を出力する。この結果、前記第１及び第２のスイッチングトランジスタＱｓｗ１，Ｑｓｗ２が同時にオン状態になるとともに、前記データ線Ｘ１〜Ｘｍを介してデータ信号Ｉｄａｔａがそれぞれの前記保持キャパシタＣｏに供給される。このことによって、前記保持キャパシタＣｏには前記データ信号Ｉｄａｔａに応じた電荷が蓄積される。つまり、選択された走査線Ｙ１上の各画素回路２０へのデータの書き込みが行われる。
【００８８】
また、このとき、前記走査線駆動回路１３からＬレベルのタイミング信号ＳＹ１が出力される。このことによって、走査線Ｙ１上の各画素回路２０の開始トランジスタＱｓｔはオフ状態になる。従って、有機ＥＬ素子ＯＬＥＤには駆動電流Ｉｅｌが供給されず、同有機ＥＬ素子ＯＬＥＤは未だ発光しない。
【００８９】
その後、前記走査線駆動回路１３からＬレベルの走査信号ＳＣ１が供給される。この結果、前記第１及び第２のスイッチングトランジスタＱｓｗ１，Ｑｓｗ２がオフ状態になるので、前記画素回路２０にはデータ信号Ｉｄａｔａが供給されなくなる。従って、画素回路２０へのデータの書き込みが終了する。
【００９０】
続いて、前記走査線駆動回路１３からＨレベルのタイミング信号ＳＹ１が出力される。このことによって、前記開始トランジスタＱｓｔはオン状態になり、有機ＥＬ素子ＯＬＥＤと前記第１の駆動トランジスタＱｄ１とが電気的に接続された状態になる。その結果、前記有機ＥＬ素子ＯＬＥＤに前記第１の駆動トランジスタＱｄ１に流れる電流が駆動電流Ｉｅｌとして供給され、同有機ＥＬ素子ＯＬＥＤは第１の駆動トランジスタＱｄ１に流れる電流の電流レベルに応じて発光する。
【００９１】
続いて、前記走査線駆動回路１３が前記走査線駆動信号ＳＫに基づいて、次の走査線Ｙ２を選択し、その選択された走査線Ｙ２上の画素回路２０に、前記と同様にして、走査信号ＳＣ２及びタイミング信号ＳＹ２を順次供給する。そして、前記走査線Ｙ２と接続された画素回路２０の有機ＥＬ素子ＯＬＥＤが第１の駆動トランジスタＱｄ１に流れる電流の電流レベルに応じて発光する。その後、前記と同様にして、前記走査線駆動回路１３は前記走査線駆動信号ＳＫに基づいて、順次、走査線を選択して、その選択された走査線に接続された画素回路２０に走査信号及びタイミング信号を供給する。その結果、有機ＥＬ素子ＯＬＥＤが、順次、第１の駆動トランジスタＱｄ１に流れる電流の電流レベルに応じて発光する。そして、最後の走査線Ｙｎを選択し、データ信号Ｉｄａｔａに基づいて発光させると、１フレーム分の画像が表示パネル部１２に表示されることとなる。
【００９２】
続いて、１フレーム期間終了後、前記走査線駆動回路１３は前記走査線駆動信号ＳＫに基づいて走査線Ｙ１を選択し、前記走査線駆動回路１３からＬレベルのタイミング信号ＳＹ１が前記信号線ＬＳ１を介して各画素回路２０に供給される。このことによって、走査線Ｙ１上の各画素回路２０の開始トランジスタＱｓｔが全てオフ状態になり、走査線Ｙ１上の各画素回路２０の有機ＥＬ素子ＯＬＥＤの発光が停止する。この結果、走査線Ｙ１上の有機ＥＬ素子ＯＬＥＤの発光期間が終了する。
【００９３】
また、走査線駆動回路１３からＬレベルのタイミング信号ＳＹ１が供給されると同時に、前記走査線駆動回路１３からＨレベルの走査信号ＳＣ１が前記走査線Ｙ１を介して各画素回路２０に供給される。このことによって、走査線Ｙ１上の画素回路２０の第１及び第２のスイッチングトランジスタＱｓｗ１，Ｑｓｗ２がオン状態になり、再度、データの書き込みが行われる。
【００９４】
このように、１フレーム期間終了後、前記走査線駆動回路１３は前記走査線駆動信号ＳＫに基づいて、順次、走査線Ｙ１〜Ｙｎを選択して、前記と同様な動作が行われて画像が表示される。
【００９５】
以上のように、ホールド型表示方法を使用して画像を表示する場合においては、前記表示制御回路１５からＬレベルの制御信号ＤＳを各画素回路２０に出力する。そして、この状態で前記走査線駆動回路１３が前記走査線駆動信号ＳＫに基づいて、走査線Ｙ１〜Ｙｎを順次選択し、その選択された走査線と接続された画素回路２０に走査信号及びタイミング信号を順次出力する。また、選択された走査線と接続された画素回路２０にデータ信号Ｉｄａｔａを供給し、データの書き込みを行う。このようにして、所望の画像（静止画像）を前記表示パネル部１２に表示させる。
【００９６】
（インパルス型表示方法）
前記信号生成回路１１が、前記画像データに基づいて表示パネル部１２に表示される画像が動画画像であると判断した場合、その旨の表示制御信号ＧＫが前記信号生成回路１１から表示制御回路１５に出力される。
【００９７】
すると、前記表示制御回路１５は、前記表示制御信号ＧＫに基づいて、Ｈレベルの制御信号ＤＳを作成し、その作成したＨレベルの制御信号ＤＳを前記制御線ＬＤ１〜ＬＤｎを介して各画素回路２０に出力する。この結果、全ての画素回路２０の前記制御用スイッチングトランジスタＱｘはオン状態になる。
【００９８】
そして、前記表示制御回路１５からＨレベルの制御信号ＤＳを各画素回路２０に出力した状態で、前記走査線駆動回路１３が、前記信号生成回路１１から出力される走査線駆動信号ＳＫに基づいて、まず、走査線Ｙ１を選択する。そして、前記走査線駆動回路１３からＨレベルの走査信号ＳＣ１を出力する。この結果、前記第１及び第２のスイッチングトランジスタＱｓｗ１，Ｑｓｗ２が同時にオン状態になるとともに、前記データ線Ｘ１〜Ｘｍを介してデータ信号Ｉｄａｔａがそれぞれの保持キャパシタＣｏに供給される。従って、前記各保持キャパシタＣｏには前記データ信号Ｉｄａｔａに応じた電荷がそれぞれ蓄積される。つまり、走査線Ｙ１上の各画素回路２０へのデータの書き込みが行われる。
【００９９】
また、このとき、前記走査線駆動回路１３からＬレベルのタイミング信号ＳＹ１を出力する。このことによって、前記開始トランジスタＱｓｔはオフ状態になる。従って、有機ＥＬ素子ＯＬＥＤには駆動電流Ｉｅｌが供給されず、同有機ＥＬ素子ＯＬＥＤは未だ発光しない。
【０１００】
その後、前記走査線駆動回路１３からＬレベルの走査信号ＳＣ１を出力する。この結果、前記第１及び第２のスイッチングトランジスタＱｓｗ１，Ｑｓｗ２が同時にオフ状態になり、走査線Ｙ１上の各画素回路２０にはデータ信号Ｉｄａｔａが供給されなくなる。従って、各画素回路２０へのデータ書き込みが終了する。
【０１０１】
続いて、前記走査線駆動回路１３から前記開始トランジスタＱｓｔをオン状態にするＨレベルのタイミング信号ＳＹ１が出力される。このことによって、前記開始トランジスタＱｓｔはオン状態になり、有機ＥＬ素子ＯＬＥＤと前記第１及び第２の駆動トランジスタＱｄ１，Ｑｄ２とが電気的に接続された状態になる。その結果、前記有機ＥＬ素子ＯＬＥＤに前記第１及び第２の駆動トランジスタＱｄ１，Ｑｄ２にそれぞれ流れる電流の合成電流が駆動電流Ｉｅｌとして供給される。そして、前記有機ＥＬ素子ＯＬＥＤは、前記第１及び第２の駆動トランジスタＱｄ１，Ｑｄ２にそれぞれ流れる電流の合成電流の電流レベルに応じて発光する。このとき、前記第１の駆動トランジスタＱｄ１に流れる電流の電流レベルは、前記第２の駆動トランジスタＱｄ２に流れる電流の電流レベルの３倍なので、ホールド型表示方法を使用した場合と比較して４倍の輝度で有機ＥＬ素子ＯＬＥＤを発光させることができる。
【０１０２】
その後、１／４フレーム期間が経過した後、前記走査線駆動回路１３からＬレベルのタイミング信号ＳＹ１が前記信号線ＬＳ１を介して各画素回路２０に供給される。この結果、走査線Ｙ１上の各画素回路２０の開始トランジスタＱｓｔがオフ状態になり、前記有機ＥＬ素子ＯＬＥＤの発光が停止する。この結果、走査線Ｙ１上の有機ＥＬ素子ＯＬＥＤの発光期間が終了する。
【０１０３】
前記走査線駆動回路１３が、前記信号生成回路１１から出力される走査線駆動信号ＳＫに基づいて、次の走査線Ｙ２を選択し、その選択された走査線Ｙ２と接続された各画素回路２０に、前記と同様に、走査信号ＳＣ２及びタイミング信号ＳＹ２を順次供給する。その後、１／４フレーム期間が経過した後、前記走査線駆動回路１３からＬレベルのタイミング信号ＳＹ２が前記信号線ＬＳ２を介して各画素回路２０に供給される。
【０１０４】
このように、インパルス型表示方法を使用して画像を表示する場合においては、前記表示制御回路１５からは、Ｈレベルの制御信号ＤＳを各画素回路２０に出力する。この状態で、前記走査線駆動回路１３が、前記信号生成回路１１から出力される走査線駆動信号ＳＫに基づいて、走査線Ｙ１〜Ｙｎを順次選択し、その選択された走査線と接続された各画素回路２０に、前記したように、走査信号及びタイミング信号を順次供給する。また、選択された走査線と接続された画素回路２０にデータ信号Ｉｄａｔａを供給する。その後、１／４フレーム期間が経過した後、前記走査線駆動回路１３からＬレベルのタイミング信号が前記信号線ＬＳ１〜ＬＳｎを介して各画素回路２０に供給される。このようにして、所望の画像（動画画像）を前記表示パネル部１２に表示させることができる。
【０１０５】
以上のように、ホールド型表示方法を使用して画像を表する場合は前記表示制御回路１５からＬレベルの制御信号ＤＳを、インパルス型表示方法を使用して画像を表する場合は前記表示制御回路１５からＨレベルの制御信号ＤＳをそれぞれ出力する。このようにすることによって、インパルス型表示方法で画像を表示する場合と、ホールド型表示方法で画像を表示する場合との有機ＥＬ素子ＯＬＥＤの１フレーム期間当たりの平均輝度の差を抑制することができる有機ＥＬディスプレイ１０を駆動させることができる。
【０１０６】
尚、特許請求の範囲に記載された第１のトランジスタ、第２のトランジスタ、第１のスイッチング素子及び第２のスイッチング素子は、例えば、本実施形態における第１の駆動トランジスタＱｄ１、第２の駆動トランジスタＱｄ２、制御用スイッチングトランジスタＱｘ及び開始トランジスタＱｓｔにそれぞれ対応している。また、特許請求の範囲に記載された第３のスイッチング素子、第４のスイッチング素子及び容量素子は、例えば、本実施形態における第２のスイッチングトランジスタＱｓｗ２、第１のスイッチングトランジスタＱｓｗ１及び保持キャパシタＣｏにそれぞれ対応している。
【０１０７】
さらに、特許請求の範囲に記載された第１の端子、第２の端子及び第１の制御用端子は、例えば、本実施形態における第１の駆動トランジスタＱｄ１のソース、第１の駆動トランジスタＱｄ１のドレイン及び第１の駆動トランジスタＱｄ１のゲートにそれぞれ対応している。また、特許請求の範囲に記載された第３の端子、第４の端子及び第２の制御用端子は、例えば、本実施形態における第２の駆動トランジスタＱｄ２のソース、第２の駆動トランジスタＱｄ２のドレイン及び第２の駆動トランジスタＱｄ２のゲートにそれぞれ対応している。また、特許請求の範囲に記載された第５の端子、第６の端子及び第３の制御用端子は、例えば、本実施形態における制御用スイッチングトランジスタＱｘのドレイン、制御用スイッチングトランジスタＱｘのソース及び制御用スイッチングトランジスタＱｘのゲートにそれぞれ対応している。また、特許請求の範囲に記載された第７の端子、第８の端子及び第４の制御用端子は、例えば、本実施形態における開始トランジスタＱｓｔのドレイン、開始トランジスタＱｓｔのソース及び開始トランジスタＱｓｔのゲートにそれぞれ対応している。
【０１０８】
また、特許請求の範囲に記載された第９の端子、第１０の端子及び第５の制御用端子は、例えば、本実施形態における第２のスイッチングトランジスタＱｓｗ２のドレイン、第２のスイッチングトランジスタＱｓｗ２のソース及び第２のスイッチングトランジスタＱｓｗ２のゲートにそれぞれ対応している。また、特許請求の範囲に記載された第１１の端子、第１２の端子及び第６の制御用端子は、例えば、本実施形態における第１のスイッチングトランジスタＱｓｗ１のドレイン、第１のスイッチングトランジスタＱｓｗ１のソース及び第１のスイッチングトランジスタＱｓｗ１のゲートにそれぞれ対応している。また、特許請求の範囲に記載された電子回路または単位回路は、例えば、本実施形態における画素回路に対応している。さらに、特許請求の範囲に記載された電子素子または電流駆動素子及び電気光学素子は、例えば、本実施形態における有機ＥＬ素子ＯＬＥＤに対応している。
【０１０９】
前記実施形態の画素回路及び有機ＥＬディスプレイによれば、以下のような特徴を得ることができる。
（１）前記実施形態では、第１及び第２の駆動トランジスタＱｄ１，Ｑｄ２、第１及び第２のスイッチングトランジスタＱｓｗ１，Ｑｓｗ２、開始トランジスタＱｓｔ、制御用スイッチングトランジスタＱｘ、保持キャパシタＣｏ及び有機ＥＬ素子ＯＬＥＤで画素回路２０を構成した。そして、前記第１の駆動トランジスタＱｄ１に対して並列に第２の駆動トランジスタＱｄ２を接続した。また、前記第２の駆動トランジスタＱｄ２と前記開始トランジスタＱｓｔとを制御用スイッチングトランジスタＱｘを介して接続した。そして、前記制御用スイッチングトランジスタＱｘのゲートを制御線ＬＤ１〜ＬＤｎを介して表示制御回路１５に接続した。
【０１１０】
そして、インパルス型表示方法で画像を表示させる場合、前記表示制御回路１５から前記制御用スイッチングトランジスタＱｘのオン状態にする制御信号ＤＳを出力するように設定する。また、ホールド型表示方法で画像を表示させる場合、前記表示制御回路１５から前記制御用スイッチングトランジスタＱｘのオフ状態にする制御信号ＤＳを出力するように設定する。このようにすることによって、インパルス表示方法で画像を表示させる場合、有機ＥＬ素子ＯＬＥＤには前記第１の駆動トランジスタＱｄ１のソース／ドレイン間に流れる電流と、前記第２の駆動トランジスタＱｄ２のソース／ドレイン間に流れる電流とが合成された合成電流が駆動電流Ｉｅｌとして供給される。つまり、インパルス表示方法で画像を表示させる場合の駆動電流Ｉｅｌの電流レベルを、ホールド表示方法で画像を表示させる場合と比較して大きくした。従って、インパルス型表示方法で画像を表示する場合と、ホールド型表示方法で画像を表示する場合との有機ＥＬ素子ＯＬＥＤの輝度の差を抑制することができる。その結果、有機ＥＬディスプレイ１０の表示品位を提供することができる。
【０１１１】
（２）前記実施形態では、前記第２の駆動トランジスタＱｄ２の利得係数を第１の駆動トランジスタＱｄ１の利得係数の３倍となるように設定した。このようにすることによって、発光期間が１／４フレーム期間であっても、１フレーム期間当たりの有機ＥＬ素子ＯＬＥＤの平均輝度の変化がない有機ＥＬディスプレイを提供することができる。
（第２実施形態）
次に、本発明を具体化した第２実施形態を図６に従って説明する。この第２実施形態において、前記第１実施形態と同じ構成部材については符号を等しくし、その詳細な説明を省略する。
【０１１２】
図６は、有機ＥＬディスプレイ１０の表示パネル部１２に配置される画素回路３０の回路図である。
本実施形態における有機ＥＬディスプレイ１０においては、データ信号Ｖｄａｔａは、前記第１実施形態が電流信号であるのに対して電圧信号である。したがって、本実施形態における各単一ラインドライバ２３は、前記データ線駆動信号ＤＫに基づいて、電圧信号よりなるデータ信号Ｖｄａｔａを生成し、その生成したデータ信号Ｖｄａｔａを前記データ線Ｘ１〜Ｘｍを介して対応する画素回路２０にそれぞれ出力する。
【０１１３】
尚、各画素回路３０の回路構成は全て同じであるので、説明の便宜上、ｎ番目の走査線Ｙｎとｍ番目のデータ線Ｘｍとの交差部に対応する位置に配置された画素回路３０についてのみ説明する。
【０１１４】
図６に示すように、画素回路３０は、第１及び第２の駆動トランジスタＱｄ１，Ｑｄ２、スイッチングトランジスタＱｓｗ、開始トランジスタＱｓｔ及び制御用スイッチングトランジスタＱｘを備えている。また、画素回路３０は、保持キャパシタＣｏ及び有機ＥＬ素子ＯＬＥＤを備えている。
【０１１５】
前記第１及び第２の駆動トランジスタＱｄ１，Ｑｄ２は、それぞれ、電流を供給する電流源として機能するトランジスタである。また、スイッチングトランジスタＱｓｗ、開始トランジスタＱｓｔ及び制御用スイッチングトランジスタＱｘは、それぞれ、スイッチング素子として機能するトランジスタである。
【０１１６】
前記第１及び第２の駆動トランジスタＱｄ１，Ｑｄ２の導電型は、本実施形態においては、それぞれｐ型である。また、前記スイッチングトランジスタＱｓｗ、開始トランジスタＱｓｔ及び制御用スイッチングトランジスタＱｘの導電型は、本実施形態においては、それぞれｎ型である。
【０１１７】
詳述すると、第１の駆動トランジスタＱｄ１は、そのドレインが開始トランジスタＱｓｔのドレインに接続されている。開始トランジスタＱｓｔのソースは、有機ＥＬ素子ＯＬＥＤの陽極に接続され、同有機ＥＬ素子ＯＬＥＤの陰極は接地されている。また、開始トランジスタＱｓｔのゲートは、行方向に配置された他の画素回路３０の開始トランジスタＱｓｔのゲートとともに前記信号線ＬＳｎに接続されている。つまり、前記開始トランジスタＱｓｔは、前記信号線ＬＳｎを介して前記走査線駆動回路１３から出力されるタイミング信号ＳＹｎに応じてオン・オフ制御される。
【０１１８】
前記第１の駆動トランジスタＱｄ１のゲートには保持キャパシタＣｏの第１接続端子Ｅ１が接続され、同保持キャパシタＣｏの第２接続端子Ｅ２には同第１の駆動トランジスタＱｄ１のソースが接続されている。また、前記第１の駆動トランジスタＱｄ１のソースは電源線ＶＬに接続され、前記駆動電圧Ｖｏｅｌが供給されるようになっている。また、前記保持キャパシタＣｏは、スイッチングトランジスタＱｓｗを介して前記データ線Ｘｍに接続されている。スイッチングトランジスタＱｓｗのゲートは、走査線Ｙｎに接続されている。従って、前記スイッチングトランジスタＱｓｗは走査線Ｙｎを介して前記走査線駆動回路１３から出力される走査信号ＳＣｎに応じて、同時にオン・オフ制御される。
【０１１９】
また、前記第１の駆動トランジスタＱｄ１には、該第１の駆動トランジスタＱｄ１に対して並列に第２の駆動トランジスタＱｄ２が接続されている。詳しくは、第１の駆動トランジスタＱｄ１のゲートは、前記第２の駆動トランジスタＱｄ２のゲートに接続されている。また、第１の駆動トランジスタＱｄ１のソースは、前記第２の駆動トランジスタＱｄ２のソースに接続されている。つまり、第２の駆動トランジスタＱｄ２のゲート／ソース間には、前記保持キャパシタＣｏが接続されている。このことによって、前記保持キャパシタＣｏに蓄積された電荷は、第１及び第２の駆動トランジスタＱｄ１，Ｑｄ２に等しく供給される。また、本実施形態においては、前記第２の駆動トランジスタＱｄ２の利得係数を、前記第１の駆動トランジスタＱｄ１の利得係数と等しくなるように設定されている。
【０１２０】
前記第２の駆動トランジスタＱｄ２のドレインは、制御用スイッチングトランジスタＱｘのドレインに接続されている。制御用スイッチングトランジスタＱｘのソースは、前記開始トランジスタＱｓｔのドレインに接続されている。また、制御用スイッチングトランジスタＱｘのゲートは、行方向に沿って配置された他の画素回路２０の制御用スイッチングトランジスタＱｘのゲートとともに前記制御線ＬＤｎに接続されている。
【０１２１】
このように構成された画素回路３０は、前記スイッチングトランジスタＱｓｗをオン状態にさせることで、前記データ線Ｘｍを介して前記単一ラインドライバ２３にて生成されたデータ信号Ｖｄａｔａを同画素回路３０に供給させる。そして、前記データ信号Ｖｄａｔａの電圧レベルに応じた電荷を前記保持キャパシタＣｏに蓄積させることができる。また、前記第１及び第２の駆動トランジスタＱｄ１，Ｑｄ２のソース／ドレイン間には、前記保持キャパシタＣｏに蓄積された電荷に応じた電流レベルを有する電流を流すことができる。そして、このとき、前記開始トランジスタＱｓｔをオン状態にすることによって、前記第１の駆動トランジスタＱｄ１のソース／ドレイン間に流れる電流を駆動電流Ｉｅｌとして有機ＥＬ素子ＯＬＥＤに供給させることができる。
【０１２２】
また、前記開始トランジスタＱｓｔをオン状態にした状態で、前記制御用スイッチングトランジスタＱｘをオン状態にさせることで、前記第２の駆動トランジスタＱｄ２のソース／ドレイン間に流れる電流を前記有機ＥＬ素子ＯＬＥＤに供給することができる。つまり、前記開始トランジスタＱｓｔをオン状態、前記制御用スイッチングトランジスタＱｘをオフ状態にすると、有機ＥＬ素子ＯＬＥＤには前記第１の駆動トランジスタＱｄ１のソース／ドレイン間に流れる電流が駆動電流Ｉｅｌとして供給される。また、前記開始トランジスタＱｓｔ及び前記制御用スイッチングトランジスタＱｘを共にオン状態にすると、有機ＥＬ素子ＯＬＥＤには前記第１の駆動トランジスタＱｄ１のソース／ドレイン間に流れる電流と、前記第２の駆動トランジスタＱｄ２のソース／ドレイン間に流れる電流とが合成された合成電流が駆動電流Ｉｅｌとして供給される。
【０１２３】
また、本実施形態においては、前記したように、前記第２の駆動トランジスタＱｄ２の利得係数を前記第１の駆動トランジスタＱｄ１の利得係数の３倍となるように設定したので、前記有機ＥＬ素子ＯＬＥＤに供給される駆動電流Ｉｅｌの電流レベルは、前記制御用スイッチングトランジスタＱｘをオフ状態にした場合と比較して４倍になる。この結果、前記制御用スイッチングトランジスタＱｘをオン状態にした場合、同制御用スイッチングトランジスタＱｘをオフ状態にした場合と比較して有機ＥＬ素子ＯＬＥＤを４倍の輝度で発光させることができる。
【０１２４】
以上のことから、前記信号生成回路１１が、前記表示パネル部１２に表示される画像が静止画像であると判断した場合、前記表示制御回路１５が各前記制御用スイッチングトランジスタＱｘをオフ状態にするＬレベルの制御信号ＤＳを出力するように設定する。また、前記信号生成回路１１が、前記表示パネル部１２に表示される画像が動画画像であると判断した場合、前記表示制御回路１５が各前記制御用スイッチングトランジスタＱｘをオン状態にするＨレベルの制御信号ＤＳを出力されるように設定する。
【０１２５】
言い換えると、ホールド型表示方法で静止画像を表示する場合、前記表示制御回路１５は各前記制御用スイッチングトランジスタＱｘをオフ状態にするＬレベルの制御信号ＤＳｎを出力されるように設定する。また、インパルス型表示方法で動画画像を表示する場合、前記表示制御回路１５は各前記制御用スイッチングトランジスタＱｘをオン状態にするＨレベルの制御信号ＤＳを出力されるように設定する。
【０１２６】
このように構成された画素回路３０の有機ＥＬディスプレイ１０においても、前記第１実施形態で説明したホールド型表示方法で静止画像を表示する場合には、前記図４で示すタイミングで走査線駆動回路１３、データ線駆動回路１４及び表示制御回路１５から各信号を出力させることで、前記第１実施形態と同様にホールド型表示方法ができる。また、インパルス型表示方法で動画画像を表示する場合には、前記図５で示すタイミングで走査線駆動回路１３、データ線駆動回路１４及び表示制御回路１５から各信号を出力させることで、前記第１実施形態と同様にインパルス型表示方法ができる。
【０１２７】
従って、本実施形態においても前記第１実施形態と同様に、ホールド型表示方法を使用して画像を表する場合は前記表示制御回路１５からＬレベルの制御信号ＤＳを、インパルス型表示方法を使用して画像を表する場合は前記表示制御回路１５からＨレベルの制御信号ＤＳｎをそれぞれ出力する。このようにすることによって、インパルス型表示方法で画像を表示する場合と、ホールド型表示方法で画像を表示する場合との有機ＥＬ素子ＯＬＥＤの１フレーム期間当たりの平均輝度の差を抑制することができる有機ＥＬディスプレイ１０を駆動させることができる。
【０１２８】
尚、特許請求の範囲に記載された第５のスイッチング素子、第１３の端子、第１４の端子及び第７の制御用端子は、例えば、本実施形態におけるスイッチングトランジスタＱｓｗ、スイッチングトランジスタＱｓｗのドレイン、スイッチングトランジスタＱｓｗのソース及びスイッチングトランジスタＱｓｗのゲートにそれぞれ対応している。
（第３実施形態）
次に、本発明を具体化した第３実施形態を図７〜図９に従って説明する。この第３実施形態において、前記第１実施形態と同じ構成部材については符号を等しくし、その詳細な説明を省略する。
【０１２９】
図７は、本実施形態における有機ＥＬディスプレイ１０の表示パネル部１２に配置される画素回路の回路図である。図８は、ホールド型表示方法を使用した場合の本実施形態における有機ＥＬディスプレイ１０の駆動方法を説明するためのタイミングチャートである。図９は、インパルス型表示方法を使用した場合の本実施形態における有機ＥＬディスプレイ１０の駆動方法を説明するためのタイミングチャートである。
【０１３０】
本実施形態における有機ＥＬディスプレイ１０においては、データ信号Ｉｄａｔａは、第１実施形態と同じ電流信号である。したがって、本実施形態における各単一ラインドライバ２３は、前記データ線駆動信号ＤＫに基づいて、データ信号Ｉｄａｔａを生成し、その生成したデータ信号Ｉｄａｔａを前記データ線Ｘｍを介して対応する画素回路２０にそれぞれ出力する。
【０１３１】
尚、各画素回路４０の回路構成は全て同じであるので、説明の便宜上、ｎ番目の走査線Ｙｎとｍ番目のデータ線Ｘｍとの交差部に対応する位置に配置された画素回路４０についてのみ説明する。また、本実施形態における走査線Ｙ１〜Ｙｎは、第１の副走査線Ｙ１１〜Ｙｎ１と第２の副走査線Ｙ１２〜Ｙｎ２とから構成されている。そして、第１の副走査線Ｙ１１〜Ｙｎ１には第１の走査信号ＳＣ１１〜ＳＣｎ１が、第２の副走査線Ｙ１２〜Ｙｎ２には第２の走査信号ＳＣ１２〜ＳＣｎ２がそれぞれ走査線駆動回路１３から供給されるようになっている。
【０１３２】
図７に示すように、画素回路４０は、第１及び第２の駆動トランジスタＱｄ１，Ｑｄ２、第３及び第４のスイッチングトランジスタＱｓｗ３，Ｑｓｗ４、開始トランジスタＱｓｔ、制御用スイッチングトランジスタＱｘ及び変換トランジスタＱｃを備えている。また、画素回路４０は、保持キャパシタＣｏ及び有機ＥＬ素子ＯＬＥＤを備えている。
【０１３３】
前記第１及び第２の駆動トランジスタＱｄ１，Ｑｄ２、及び、変換トランジスタＱｃは、それぞれ、電流を供給する電流源として機能するトランジスタである。また、第３及び第４のスイッチングトランジスタＱｓｗ３，Ｑｓｗ４、開始トランジスタＱｓｔ及び制御用スイッチングトランジスタＱｘは、それぞれ、スイッチング素子として機能するトランジスタである。
【０１３４】
前記第１及び第２の駆動トランジスタＱｄ１，Ｑｄ２、及び、変換トランジスタＱｃの導電型は、本実施形態においては、それぞれｐ型である。また、前記第３及び第４のスイッチングトランジスタＱｓｗ３，Ｑｓｗ４、開始トランジスタＱｓｔ及び制御用スイッチングトランジスタＱｘの導電型は、本実施形態においては、それぞれｎ型である。
【０１３５】
詳述すると、第１の駆動トランジスタＱｄ１は、そのドレインが開始トランジスタＱｓｔのドレインに接続されている。開始トランジスタＱｓｔのソースは、有機ＥＬ素子ＯＬＥＤの陽極に接続され、同有機ＥＬ素子ＯＬＥＤの陰極は接地されている。また、開始トランジスタＱｓｔのゲートは、行方向に配置された他の画素回路４０の開始トランジスタＱｓｔのゲートとともに前記信号線ＬＳｎに接続されている。つまり、前記開始トランジスタＱｓｔは、前記信号線ＬＳｎを介して前記走査線駆動回路１３から出力されるタイミング信号ＳＹｎに応じてオン・オフ制御される。
【０１３６】
また、前記第１の駆動トランジスタＱｄ１のゲートは、変換トランジスタＱｃのゲートに接続されている。また、前記第１の駆動トランジスタＱｄ１のソースは、変換トランジスタＱｃのソースに接続されている。つまり、前記第１の駆動トランジスタＱｄ１と前記変換トランジスタＱｃとでカレントミラー回路を構成している。また、変換トランジスタＱｃのゲートには保持キャパシタＣｏの第１接続端子Ｅ１が接続され、同保持キャパシタＣｏの第２接続端子Ｅ２には同変換トランジスタＱｃのソースが接続されている。
【０１３７】
前記変換トランジスタＱｃのドレインは、第３のスイッチングトランジスタＱｓｗ３のドレインに接続されている。第３のスイッチングトランジスタＱｓｗ３のソースは、データ線Ｘｍに接続されている。第３のスイッチングトランジスタＱｓｗ３のゲートは、第１の副走査線Ｙｎ１に接続されている。従って、前記第３のスイッチングトランジスタＱｓｗ３は第１の副走査線Ｙｎ１を介して前記走査線駆動回路１３から出力される第１の走査信号ＳＣｎ１に応じてオン・オフ制御される。
【０１３８】
さらに、前記変換トランジスタＱｃのドレイン／ゲート間には、第４のスイッチングトランジスタＱｓｗ４が接続されている。前記第４のスイッチングトランジスタＱｓｗ４のゲートは第２の副走査線Ｙｎ２に接続されている。従って、前記第４のスイッチングトランジスタＱｓｗ４は第２の副走査線Ｙｎ２を介して前記走査線駆動回路１３から出力される第２の走査信号ＳＣｎ２に応じてオン・オフ制御される。
【０１３９】
また、前記第１の駆動トランジスタＱｄ１及び変換トランジスタＱｃの各ソースは前記電源線ＶＬに接続され、前記駆動電圧Ｖｏｅｌが供給されるようになっている。
【０１４０】
また、前記第１の駆動トランジスタＱｄ１には、該第１の駆動トランジスタＱｄ１に対して並列に第２の駆動トランジスタＱｄ２が接続されている。詳しくは、第１の駆動トランジスタＱｄ１のゲートは、前記第２の駆動トランジスタＱｄ２のゲートに接続されている。また、第１の駆動トランジスタＱｄ１のソースは、前記第２の駆動トランジスタＱｄ２のソースに接続されている。つまり、第２の駆動トランジスタＱｄ２は、前記変換トランジスタＱｃとカレントミラー回路を構成している。
【０１４１】
また、本実施形態においては、前記第２の駆動トランジスタＱｄ２の利得係数を、前記第１の駆動トランジスタＱｄ１の利得係数と等しくなるように設定されている。
【０１４２】
前記第２の駆動トランジスタＱｄ２のドレインは、制御用スイッチングトランジスタＱｘのドレインに接続されている。制御用スイッチングトランジスタＱｘのソースは、前記開始トランジスタＱｓｔのドレインに接続されている。また、制御用スイッチングトランジスタＱｘのゲートは、行方向に沿って配置された他の画素回路４０の制御用スイッチングトランジスタＱｘのゲートとともに前記制御線ＬＤｎに接続されている。
【０１４３】
このように構成された画素回路４０は、前記第３のスイッチングトランジスタＱｓｗ３及び前記第４のスイッチングトランジスタＱｓｗ４を同時にオン状態にさせることで、前記データ線Ｘｍを介して前記単一ラインドライバ２３にて生成されたデータ信号Ｉｄａｔａを同画素回路２０に供給させる。そして、前記データ信号Ｉｄａｔａの電流レベルに応じた電荷を前記保持キャパシタＣｏに蓄積させることができる。従って、前記変換トランジスタＱｃ及び第１の駆動トランジスタＱｄ１の各ソース／ドレイン間には、前記保持キャパシタＣｏに蓄積された電荷に応じた電流レベルを有する電流が流れる。
【０１４４】
そして、このとき、前記開始トランジスタＱｓｔをオン状態にすることによって、前記第１の駆動トランジスタＱｄ１のソース／ドレイン間に流れる電流を駆動電流Ｉｅｌとして有機ＥＬ素子ＯＬＥＤに供給させることができる。
【０１４５】
また、第２の駆動トランジスタＱｄ２のソース／ドレイン間には、前記保持キャパシタＣｏに蓄積された電荷に応じた電流レベルを有する電流を流すことができる。従って、前記開始トランジスタＱｓｔをオン状態にした状態で、前記制御用スイッチングトランジスタＱｘをオン状態にさせることで、前記第２の駆動トランジスタＱｄ２のソース／ドレイン間に流れる電流を前記有機ＥＬ素子ＯＬＥＤに供給することができる。つまり、前記開始トランジスタＱｓｔをオン状態、前記制御用スイッチングトランジスタＱｘをオフ状態にすると、有機ＥＬ素子ＯＬＥＤには前記第１の駆動トランジスタＱｄ１のソース／ドレイン間に流れる電流が駆動電流Ｉｅｌとして供給される。また、前記開始トランジスタＱｓｔ及び前記制御用スイッチングトランジスタＱｘを共にオン状態にすると、有機ＥＬ素子ＯＬＥＤには前記第１の駆動トランジスタＱｄ１のソース／ドレイン間に流れる電流と、前記第２の駆動トランジスタＱｄ２のソース／ドレイン間に流れる電流とが合成された合成電流が駆動電流Ｉｅｌとして供給される。
【０１４６】
本実施形態においては、前記したように、前記第２の駆動トランジスタＱｄ２の利得係数を前記第１の駆動トランジスタＱｄ１の利得係数の３倍になるように設定したので、前記有機ＥＬ素子ＯＬＥＤに供給される駆動電流Ｉｅｌの電流レベルは、前記制御用スイッチングトランジスタＱｘをオフ状態にした場合と比較して４倍になる。この結果、前記制御用スイッチングトランジスタＱｘをオン状態にした場合、同制御用スイッチングトランジスタＱｘをオフ状態にした場合と比較して有機ＥＬ素子ＯＬＥＤを４倍の輝度で発光させることができる。
【０１４７】
以上のことから、前記信号生成回路１１が、前記表示パネル部１２に表示される画像を静止画像であると判断した場合、前記表示制御回路１５は各前記制御用スイッチングトランジスタＱｘをオフ状態にするＬレベルの制御信号ＤＳを出力するように設定する。また、前記信号生成回路１１が、前記表示パネル部１２に表示される画像を動画画像であると判断した場合、前記表示制御回路１５は各前記制御用スイッチングトランジスタＱｘをオン状態にするＨレベルの制御信号ＤＳを出力されるように設定する。
【０１４８】
つまり、ホールド型表示方法で静止画像を表示する場合、前記表示制御回路１５は各前記制御用スイッチングトランジスタＱｘをオフ状態にするＬレベルの制御信号ＤＳを出力されるように設定する。また、インパルス型表示方法で動画画像を表示する場合、前記表示制御回路１５は各前記制御用スイッチングトランジスタＱｘをオン状態にするＨレベルの制御信号ＤＳを出力されるように設定する。
【０１４９】
次に、前記有機ＥＬディスプレイ１０の駆動方法について、図８及び図９に従って説明する。
図８は、ホールド型表示方法を使用した場合の本実施形態における有機ＥＬディスプレイ１０の駆動方法を説明するためのタイミングチャートである。図９は、インパルス型表示方法を使用した場合の本実施形態における有機ＥＬディスプレイ１０の駆動方法を説明するためのタイミングチャートである。
【０１５０】
以下、説明の便宜上、ホールド型表示方法を使用した場合と、インパルス型表示方法を使用した場合の有機ＥＬディスプレイ１０の駆動方法をそれぞれ分けて説明する。
【０１５１】
（ホールド型表示方法）
まず、前記信号生成回路１１が前記画像データＤに基づいて表示パネル部１２に表示される画像が静止画像であると判断した場合、その旨の表示制御信号ＧＫが前記信号生成回路１１から表示制御回路１５に出力される。
【０１５２】
すると、前記表示制御回路１５は、前記表示制御信号ＧＫに基づいて、Ｌレベルの制御信号ＤＳを作成し、その作成したＬレベルの制御信号ＤＳを前記制御線ＬＤｎを介して全ての画素回路４０に出力する。この結果、全ての画素回路４０の前記制御用スイッチングトランジスタＱｘはオフ状態になる。
【０１５３】
そして、前記表示制御回路１５からＬレベルの制御信号ＤＳを各画素回路４０に出力した状態で、前記走査線駆動回路１３が前記信号生成回路１１から出力される走査線駆動信号ＳＫに基づいて、走査線Ｙ１を選択する。そして、前記走査線駆動回路１３から、前記走査線Ｙ１を構成する第１の副走査線Ｙ１１介して、前記第３のスイッチングトランジスタＱｓｗ３をオン状態にするＨレベルの走査信号ＳＣ１１を出力する。また、同時に、走査線駆動回路１３から、前記走査線Ｙ１を構成する第２の副走査線Ｙ１２介して、第４のスイッチングトランジスタＱｓｗ４をオン状態にするＨレベルの走査信号ＳＣ１２を出力する。この結果、前記第３及び第４のスイッチングトランジスタＱｓｗ３，Ｑｓｗ４が同時にオン状態になるとともに、前記データ線Ｘ１〜Ｘｍを介してデータ信号Ｉｄａｔａがそれぞれの前記保持キャパシタＣｏに供給される。このことによって、前記保持キャパシタＣｏには前記データ信号Ｉｄａｔａに応じた電荷が蓄積される。つまり、選択された走査線Ｙ１上の各画素回路４０へのデータの書き込みが行われる。
【０１５４】
また、このとき、前記走査線駆動回路１３からＬレベルのタイミング信号ＳＹ１が出力される。このことによって、走査線Ｙ１上の各画素回路４０の開始トランジスタＱｓｔはオフ状態になる。従って、有機ＥＬ素子ＯＬＥＤには駆動電流Ｉｅｌが供給されず、同有機ＥＬ素子ＯＬＥＤは未だ発光しない。
【０１５５】
その後、走査線駆動回路１３から前記第１の副走査線Ｙ１１を介して前記第３のスイッチングトランジスタＱｓｗ３をオン状態にするＬレベルの走査信号ＳＣ１１を出力する。また、走査線駆動回路１３から前記第２の副走査線Ｙ１２を介して第４のスイッチングトランジスタＱｓｗ４をオン状態にするＬレベルの走査信号ＳＣ１２を出力する。この結果、前記第３及び第４のスイッチングトランジスタＱｓｗ３，Ｑｓｗ４がオフ状態になるので、前記画素回路４０にはデータ信号Ｉｄａｔａが供給されなくなる。従って、画素回路４０へのデータの書き込みが終了する。
【０１５６】
続いて、前記走査線駆動回路１３からＨレベルのタイミング信号ＳＹ１が出力される。このことによって、前記開始トランジスタＱｓｔはオン状態になり、有機ＥＬ素子ＯＬＥＤと前記第１の駆動トランジスタＱｄ１とが電気的に接続された状態になる。その結果、前記有機ＥＬ素子ＯＬＥＤに前記第１の駆動トランジスタＱｄ１に流れる電流が駆動電流Ｉｅｌとして供給され、同有機ＥＬ素子ＯＬＥＤは第１の駆動トランジスタＱｄ１に流れる電流の電流レベルに応じて発光する。
【０１５７】
続いて、前記走査線駆動回路１３が前記走査線駆動信号ＳＫに基づいて、次の走査線Ｙ２を選択し、その選択された走査線Ｙ２上の画素回路４０に、前記と同様にして、走査信号ＳＣ２１，ＳＣ２２及びタイミング信号ＳＹ２を順次供給する。そして、前記走査線Ｙ２と接続された画素回路４０の有機ＥＬ素子ＯＬＥＤが第１の駆動トランジスタＱｄ１に流れる電流の電流レベルに応じて発光する。その後、前記と同様にして、前記走査線駆動回路１３は前記走査線駆動信号ＳＫに基づいて、順次、走査線を選択して、その選択された走査線に接続された画素回路４０に走査信号及びタイミング信号を供給する。その結果、有機ＥＬ素子ＯＬＥＤが、順次、第１の駆動トランジスタＱｄ１に流れる電流の電流レベルに応じて発光する。そして、最後の走査線Ｙｎを選択し、データ信号Ｉｄａｔａに基づいて発光させると、１フレーム分の画像が表示パネル部１２に表示されることとなる。
【０１５８】
続いて、１フレーム期間終了後、前記走査線駆動回路１３は前記走査線駆動信号ＳＫに基づいて走査線Ｙ１を選択し、前記走査線駆動回路１３からＬレベルのタイミング信号ＳＹ１が前記信号線ＬＳ１を介して各画素回路２０に供給される。このことによって、走査線Ｙ１上の各画素回路２０の開始トランジスタＱｓｔが全てオフ状態になり、走査線Ｙ１上の各画素回路２０の有機ＥＬ素子ＯＬＥＤの発光が停止する。この結果、走査線Ｙ１上の有機ＥＬ素子ＯＬＥＤの発光期間が終了する。
【０１５９】
また、走査線駆動回路１３からＬレベルのタイミング信号ＳＹ１が供給されると同時に、前記走査線駆動回路１３からＨレベルの第１及び第２の走査信号ＳＣ１，ＳＣ２がそれぞれ前記第１及び第２の副走査線Ｙ１１，Ｙ１２を介して各画素回路２０に供給される。このことによって、走査線Ｙ１上の画素回路２０の第３及び第４のスイッチングトランジスタＱｓｗ３，Ｑｓｗ４がオン状態になり、再度、データの書き込みが行われる。
【０１６０】
このように、１フレーム期間終了後、前記走査線駆動回路１３は前記走査線駆動信号ＳＫに基づいて、順次、走査線Ｙ１〜Ｙｎを選択して、前記と同様な動作が行われて画像が表示される。
【０１６１】
以上のように、ホールド型表示方法を使用して画像を表示する場合においては、前記表示制御回路１５からＬレベルの制御信号ＤＳを各画素回路２０に出力する。そして、この状態で前記走査線駆動回路１３が前記走査線駆動信号ＳＫに基づいて、走査線Ｙ１〜Ｙｎを順次選択し、その選択された走査線と接続された画素回路４０に走査信号及びタイミング信号を順次出力する。また、選択された走査線と接続された画素回路４０にデータ信号Ｉｄａｔａを供給し、データの書き込みを行う。このようにして、所望の画像（静止画像）を前記表示パネル部１２に表示させる。
【０１６２】
（インパルス型表示方法）
前記信号生成回路１１が、前記画像データに基づいて表示パネル部１２に表示される画像が動画画像であると判断した場合、その旨の表示制御信号ＧＫが前記信号生成回路１１から表示制御回路１５に出力される。
【０１６３】
すると、前記表示制御回路１５は、前記表示制御信号ＧＫに基づいて、Ｈレベルの制御信号ＤＳを作成し、その作成したＨレベルの制御信号ＤＳを前記制御線ＬＤ１〜ＬＤｎを介して各画素回路４０に出力する。この結果、全ての画素回路４０の前記制御用スイッチングトランジスタＱｘはオン状態になる。
【０１６４】
そして、前記表示制御回路１５からＨレベルの制御信号ＤＳを各画素回路４０に出力した状態で、前記走査線駆動回路１３が、前記信号生成回路１１から出力される走査線駆動信号ＳＫに基づいて、まず、走査線Ｙ１を選択する。そして、前記走査線駆動回路１３から走査線Ｙ１を構成する第１の副走査線Ｙ１１を介してＨレベルの走査信号ＳＣ１１を出力する。また、同時に、前記走査線駆動回路１３から走査線Ｙ１を構成する第２の副走査線Ｙ１２を介してＨレベルの走査信号ＳＣ１２を出力する。この結果、前記第３のスイッチングトランジスタＱｓｗ３及び第４のスイッチングトランジスタＱｓｗ４が同時にオン状態になるとともに、前記データ線Ｘ１〜Ｘｍを介してデータ信号Ｉｄａｔａがそれぞれの保持キャパシタＣｏに供給される。従って、前記各保持キャパシタＣｏには前記データ信号Ｉｄａｔａに応じた電荷がそれぞれ蓄積される。つまり、走査線Ｙ１上の各画素回路２０へのデータの書き込みが行われる。
【０１６５】
また、このとき、前記走査線駆動回路１３からＬレベルのタイミング信号ＳＹ１を出力する。このことによって、前記開始トランジスタＱｓｔはオフ状態になる。従って、有機ＥＬ素子ＯＬＥＤには駆動電流Ｉｅｌが供給されず、同有機ＥＬ素子ＯＬＥＤは未だ発光しない。
【０１６６】
その後、前記走査線駆動回路１３から前記第１の副走査線Ｙ１１を介してＬレベルの走査信号ＳＣ１１を出力する。また、前記第２の副走査線Ｙ１２を介してＬレベルの走査信号ＳＣ１２を出力する。この結果、前記第３及び第４のスイッチングトランジスタＱｓｗ３，Ｑｓｗ４がオフ状態になり、走査線Ｙ１上の各画素回路２０にはデータ信号Ｉｄａｔａが供給されなくなる。従って、各画素回路２０へのデータ書き込みが終了する。
【０１６７】
続いて、前記走査線駆動回路１３から前記開始トランジスタＱｓｔをオン状態にするＨレベルのタイミング信号ＳＹ１が出力される。このことによって、前記開始トランジスタＱｓｔはオン状態になり、有機ＥＬ素子ＯＬＥＤと前記第１及び第２の駆動トランジスタＱｄ１，Ｑｄ２とが電気的に接続された状態になる。その結果、前記有機ＥＬ素子ＯＬＥＤに前記第１及び第２の駆動トランジスタＱｄ１，Ｑｄ２にそれぞれ流れる電流の合成電流が駆動電流Ｉｅｌとして供給される。そして、前記有機ＥＬ素子ＯＬＥＤは、前記第１及び第２の駆動トランジスタＱｄ１，Ｑｄ２にそれぞれ流れる電流の合成電流の電流レベルに応じて発光する。このとき、前記第１の駆動トランジスタＱｄ１に流れる電流の電流レベルは、前記第２の駆動トランジスタＱｄ２に流れる電流の電流レベルの３倍になるので、ホールド型表示方法を使用した場合と比較して４倍の輝度で有機ＥＬ素子ＯＬＥＤを発光させることができる。
【０１６８】
その後、１／４フレーム期間が経過した後、前記走査線駆動回路１３からＬレベルのタイミング信号ＳＹ１が前記信号線ＬＳ１を介して各画素回路２０に供給される。この結果、走査線Ｙ１上の各画素回路２０の開始トランジスタＱｓｔがオフ状態になり、前記有機ＥＬ素子ＯＬＥＤは消灯する。
【０１６９】
続いて、前記走査線駆動回路１３が、前記信号生成回路１１から出力される走査線駆動信号ＳＫに基づいて、次の走査線Ｙ２を選択する。そして、その選択された走査線Ｙ２と接続された各画素回路４０に、その走査線Ｙ２を構成する第１の副走査線Ｙ２１及び第２の副走査線Ｙ２２を介して、前記と同様に、走査信号ＳＣ１２，ＳＣ２２及びタイミング信号ＳＹ２を順次供給する。その後、１／４フレーム期間が経過した後、前記走査線駆動回路１３からＬレベルのタイミング信号ＳＹ１が前記信号線ＬＳ１を介して各画素回路２０に供給される。
【０１７０】
このように、インパルス型表示方法を使用して画像を表示する場合においては、前記表示制御回路１５からは、Ｈレベルの制御信号ＤＳを各画素回路４０に出力する。この状態で、前記走査線駆動回路１３が、前記信号生成回路１１から出力される走査線駆動信号ＳＫに基づいて、走査線Ｙ１〜Ｙｎを順次選択し、その選択された走査線と接続された各画素回路４０に、前記したように、走査信号及びタイミング信号を順次供給する。また、選択された走査線と接続された画素回路４０にデータ信号Ｉｄａｔａを供給する。その後、１／４フレーム期間が経過した後、前記走査線駆動回路１３からＬレベルのタイミング信号が前記信号線ＬＳ１〜ＬＳｎを介して各画素回路４０に供給される。このようにして、所望の画像（動画画像）を前記表示パネル部１２に表示させることができる。
【０１７１】
このようにすることによって、インパルス型表示方法で画像を表示する場合と、ホールド型表示方法で画像を表示する場合との有機ＥＬ素子ＯＬＥＤの１フレーム期間当たりの平均輝度の差を抑制することができる有機ＥＬディスプレイ１０を駆動させることができる。
【０１７２】
尚、特許請求の範囲に記載された第３のトランジスタ、第１５の端子、第１６の端子及び第８の制御用端子は、例えば、本実施形態における変換トランジスタＱｃ、変換トランジスタＱｃのソース、変換トランジスタＱｃのドレイン及び変換トランジスタＱｃのゲートにそれぞれ対応している。また、特許請求の範囲に記載された第６のスイッチング素子、第１７の端子、第１８の端子及び第９の制御用端子は、例えば、本実施形態における第４のスイッチングトランジスタＱｓｗ４、第４のスイッチングトランジスタＱｓｗ４のドレイン、第４のスイッチングトランジスタＱｓｗ４のソース及び第４のスイッチングトランジスタＱｓｗ４のゲートにそれぞれ対応している。さらに、特許請求の範囲に記載された第７のスイッチング素子、第１９の端子、第２０の端子及び第１０の制御用端子は、例えば、本実施形態における第３のスイッチングトランジスタＱｓｗ３、第３のスイッチングトランジスタＱｓｗ３のドレイン、第３のスイッチングトランジスタＱｓｗ３のソース及び第３のスイッチングトランジスタＱｓｗ３のゲートにそれぞれ対応している。
（第４実施形態）
次に、第１〜第３実施形態で説明した電気光学装置としての有機ＥＬディスプレイ１０の電子機器の適用について図１０に従って説明する。有機ＥＬディスプレイ１０は、モバイル型のパーソナルコンピュータ、携帯電話、デジタルカメラ、デジタル放送のテレビ等種々の電子機器に適用できる。
【０１７３】
図１０は、モバイル型パーソナルコンピュータの構成を示す斜視図を示す。図１０において、パーソナルコンピュータ５０は、キーボード５１を備えた本体部５２と、前記有機ＥＬディスプレイ１０を用いた表示ユニット５３とを備えている。この場合においても、有機ＥＬディスプレイ１０を用いた表示ユニット５３は前記第１〜３の実施形態と同様な効果を発揮する。この結果、表示品位の優れた有機ＥＬディスプレイ１０を備えたモバイル型パーソナルコンピュータ５０を提供することができる。
【０１７４】
尚、発明の実施形態は、上記実施形態に限定されるものではなく、以下のように実施してもよい。
○上記第１〜第３の実施形態では、各画素回路２０内に、同じ利得係数を有する第１及び第２の駆動トランジスタＱｄ１，Ｑｄ２をそれぞれ１個ずつ設けた。これを、同じ利得係数を有する第１及び第２の駆動トランジスタＱｄ１，Ｑｄ２を複数個設け、その複数個の第１及び第２の駆動トランジスタＱｄ１，Ｑｄ２のうちのいくつかを適宜選択して使用するようにしてもよい。このようにすることで、パワーセーブモードを備えた有機ＥＬディスプレイ１０でのインパルス型表示方法で画像を表示する場合と、ホールド型表示方法で画像を表示する場合との有機ＥＬ素子ＯＬＥＤの１フレーム期間当たりの平均輝度の差を抑制することができる。
【０１７５】
○上記第１〜第３の実施形態では、インパルス表示方式で画像を表示する場合、表示制御回路１５からＨレベルの制御信号ＤＳを出力した状態で、走査線駆動回路１３から出力されるタイミング信号ＳＹｎによって有機ＥＬ素子ＯＬＥＤの発光期間を制御するようにした。これを、前記走査線駆動回路１３から出力されるタイミング信号ＳＹｎに前記制御信号ＤＳを同期させるようにしてもよい。即ち、前記タイミング信号ＳＹｎがＨレベルの場合、表示制御回路１５からＨレベルの制御信号ＤＳを出力し、前記タイミング信号ＳＹｎがＬレベルの場合、表示制御回路１５からＬレベルの制御信号ＤＳを出力するようにする。このようにすることによって、上記第１〜第３の実施形態と同様の効果を得ることができる。
【０１７６】
○上記第１〜第３の実施形態では、１色からなる有機ＥＬ素子ＯＬＥＤの画素回路２０，３０，４０を設けた有機ＥＬディスプレイ１０であったが、赤色、緑色及び青色の３色の有機ＥＬ素子ＯＬＥＤに対して各色用の画素回路２０，３０，４０を設けたＥＬディスプレイに応用しても良い。
【０１７７】
○上記第１〜第３の実施形態では、画素回路２０に具体化して好適な効果を得たが、有機ＥＬ素子ＯＬＥＤ以外の例えばＬＥＤやＦＥＤ等の発光素子のような電流駆動素子を駆動する電子回路に具体化してもよい。ＲＡＭ等（特にＭＲＡＭ）の記憶装置に具体化してもよい。
【０１７８】
○上記第１〜第３の実施形態では、電流駆動素子として有機ＥＬ素子ＯＬＥＤについて具体化したが、無機ＥＬ素子に具体化してもよい。つまり、無機ＥＬ素子からなる無機ＥＬディスプレイに応用しても良い。
【図面の簡単な説明】
【図１】有機ＥＬディスプレイの電気的構成を説明するためのブロック図である。
【図２】表示パネル部及びデータ線駆動回路の電気的構成を示すブロック回路図である。
【図３】第１の実施形態における画素回路の回路図である。
【図４】ホールド型表示方法を使用した場合の有機ＥＬディスプレイの駆動方法を説明するためのタイミングチャートである。
【図５】インパルス型表示方法を使用した場合の有機ＥＬディスプレイの駆動方法を説明するためのタイミングチャートである。
【図６】第２の実施形態における画素回路の回路図である。
【図７】第３の実施形態における画素回路の回路図である。
【図８】第３の実施形態の有機ＥＬディスプレイの駆動方法を説明するためのタイミングチャートである。
【図９】第３の実施形態の有機ＥＬディスプレイの駆動方法を説明するためのタイミングチャートである。
【図１０】第４実施形態を説明するためのモバイル型パーソナルコンピュータの構成を示す斜視図である。
【符号の説明】
Ｑｄ１…第１のトランジスタとしての第１の駆動トランジスタ、Ｑｓｔ…第２のスイッチング素子としての開始トランジスタＱｓｔ、Ｑｓｗ１…第４のトランジスタとしての第１のスイッチングトランジスタ、Ｑｓｗ２…第３のトランジスタとしての第２のスイッチングトランジスタ、Ｑｄ２…第２のトランジスタとしての第２の駆動トランジスタ、Ｑｘ…第１のスイッチング素子としての制御用スイッチングトランジスタ、Ｑｓｗ…第５のスイッチング素子としてのスイッチングトランジスタ、Ｑｃ…第３のトランジスタとしての変換トランジスタ、Ｑｓｗ３…第７のスイッチング素子としての第３のスイッチングトランジスタ、Ｑｓｗ４…第６のスイチング素子としての第４のスイッチングトランジスタ、Ｃｏ…容量素子としての保持キャパシタ、Ｅ１…第１接続端子、Ｅ２…第２接続端子、２０…電子回路または単位回路としての画素回路、ＯＬＥＤ…電子素子または電流駆動素子及び電気光学素子としての有機ＥＬ素子。
【図１】
2004317677.tif 000003
【図２】
2004317677.tif 000004
【図３】
2004317677.tif 000005
【図４】
2004317677.tif 000006
【図５】
2004317677.tif 000007
【図６】
2004317677.tif 000008
【図７】
2004317677.tif 000009
【図８】
2004317677.tif 000010
【図９】
2004317677.tif 000011
【図１０】
2004317677.tif 000012